(57)【特許請求の範囲】
【請求項１】
ワイヤレス通信の方法であって、
第１のプリアンブル・フィールドを備えるパケットを、ワイヤレス・デバイスにおいて、生成することと、
前記パケットがＨＥＷパケットであることを指示するために、前記第１のプリアンブル・フィールドに含まれる長さ指示を、３の倍数ではない値に設定することと、
第１の周波数ドメイン極性シーケンスを前記第１のプリアンブル・フィールドにかけることによって第１の反復プリアンブル・フィールドを生成することと、
前記ワイヤレス・デバイスから前記パケットを送信することと、を備え、ここにおいて前記パケットは、前記第１のプリアンブル・フィールドおよび前記第１の反復プリアンブル・フィールドを備える、方法。
【請求項２】
前記第１のプリアンブル・フィールドは、複数のデバイスによって復号可能であり、前記パケットは、前記複数のデバイスのサブセットのみによって復号可能である第２のプリアンブル・フィールドを備える、請求項１に記載の方法。
【請求項３】
前記第１の周波数ドメイン極性シーケンスは、−１または＋１の所定のシーケンスを備える、請求項１に記載の方法。
【請求項４】
第２の周波数ドメイン極性シーケンスを第２のプリアンブル・フィールドにかけることによって第２の反復プリアンブル・フィールドを生成することをさらに備え、ここにおいて、前記パケットは、前記第２の反復プリアンブル・フィールドを備える、請求項１に記載の方法。
【請求項５】
前記第１のプリアンブル・フィールドは、レガシ信号（Ｌ−ＳＩＧ）フィールドを備え、レガシ・プリアンブルは、複数のデバイスによって復号可能であり、および、
前記第１の反復プリアンブル・フィールドは、反復レガシ信号（ＲＬ−ＳＩＧ）フィールドを備える、請求項１に記載の方法。
【請求項６】
ワイヤレス通信のための装置において、
第１のプリアンブル・フィールドを備えるパケットを生成するための手段と、
ここにおいて、前記第１のプリアンブル・フィールドは、前記パケットがＨＥＷパケットであることを指示するために、３の倍数ではない値に設定される長さ指示を備える、
第１の周波数ドメイン極性シーケンスを前記第１のプリアンブル・フィールドにかけることによって第１の反復プリアンブル・フィールドを生成するための手段と、
前記装置から前記パケットを送信するための手段と、を備え、ここにおいて前記パケットは、前記第１のプリアンブル・フィールドおよび前記第１の反復プリアンブル・フィールドを備える、装置。
【請求項７】
前記第１のプリアンブル・フィールドは、複数のデバイスによって復号可能であり、前記パケットは、前記複数のデバイスのサブセットのみによって復号可能である第２のプリアンブル・フィールドを備える、請求項６に記載の装置。
【請求項８】
前記第１の周波数ドメイン極性シーケンスは、−１または＋１の所定のシーケンスを備える、請求項６に記載の装置。
【請求項９】
第２の周波数ドメイン極性シーケンスを第２のプリアンブル・フィールドにかけることによって第２の反復プリアンブル・フィールドを生成するための手段をさらに備え、ここにおいて前記パケットは、他の反復プリアンブル・フィールドを備える、請求項６に記載の装置。
【請求項１０】
前記第１のプリアンブル・フィールドは、レガシ信号（Ｌ−ＳＩＧ）フィールドを備え、レガシ・プリアンブルは、複数のデバイスによって復号可能であり、および、
前記第１の反復プリアンブル・フィールドは、反復レガシ信号（ＲＬ−ＳＩＧ）フィールドを備える、請求項６に記載の装置。
【請求項１１】
コンピュータによって実行されると、前記コンピュータに、請求項１乃至５のうちのいずれか一項に記載の方法を行わせるコードを備える、コンピュータプログラム。
【発明の詳細な説明】
【技術分野】
【０００１】
[0001]  本開示の特定の態様は、一般に、ワイヤレス通信に関し、より具体的には、ワイヤレス・ネットワークにおける通信の検出のための装置および方法に関する。
【背景技術】
【０００２】
[0002]  多くの電気通信システムにおいて、通信ネットワークは、いくつかの相互作用する空間的に隔てられたデバイス間でメッセージを交換するために使用されている。ネットワークは、地理的範囲に応じて分類されることができ、それは、例えば、メトロポリタン・エリア、ローカル・エリア、またはパーソナル・エリアであることができる。このようなネットワークは、ワイド・エリア・ネットワーク（ＷＡＮ）、メトロポリタン・エリア・ネットワーク（ＭＡＮ）、ローカル・エリア・ネットワーク（ＬＡＮ）、またはパーソナル・エリア・ネットワーク（ＰＡＮ）としてそれぞれ指定されることができる。ネットワークはまた、さまざまなネットワーク・ノードおよびデバイスを相互接続するために使用される交換／ルーティング技法（例えば、回線交換対パケット交換）、送信のために用いられる物理媒体のタイプ（例えば、有線対無線）、および使用される通信プロトコルのセット（例えば、インターネット・プロトコル・スイート、ＳＯＮＥＴ（同期型光ネットワーキング）、イーサネット（登録商標）など）にしたがって異なる。
【０００３】
[0003]  ワイヤレス・ネットワークは、ネットワーク要素が移動式であり、これにより、動的接続性のニーズを有する場合、またはネットワーク・アーキテクチャが、固定式というよりはむしろ、アドホックのトポロジにおいて形成される場合に好まれることが多い。ワイヤレス・ネットワークは、無線、マイクロ波、赤外線、光（optical）などの周波数帯における電磁波を使用して、無誘導伝搬モード（unguided propagation mode）における無形物理媒体を用いる。ワイヤレス・ネットワークは、固定の有線ネットワークと比較される場合、迅速なフィールド展開およびユーザの移動性を有利に促進する。
【０００４】
[0004]  複数のデバイス間においてワイヤレスで通信される情報の複雑さと量が増加し続ける場合、物理レイヤ制御信号のために必要なオーバーヘッド帯域幅は少なくとも直線的に増加し続ける。物理レイヤ制御情報を搬送するために使用されるビットの数は、必要なオーバーヘッドの相当の量となってきている。かくして、制限された通信リソースで、特に、多数のタイプのトラフィックがアクセス・ポイントから多数の端末に同時に送られる場合に、この物理レイヤ制御情報を搬送するために必要とされるビットの数を減じることが望ましい。同時に、信号検知の信頼性を向上させることが望ましい。かくして、混合レート（mixed-rate）送信のために向上されたプロトコルが必要である。
【発明の概要】
【０００５】
[0005]  添付の特許請求の範囲内のシステム、方法、およびデバイスのさまざまなインプリメンテーションは、いくつかの態様をそれぞれ有し、これらのうちのただ１つも、単独で本書に説明される望ましい属性（attributes）を担うものではない。添付の特許請求の範囲を限定することなく、いくつかの特徴が本書に説明される。
【０００６】
[0006]  本書に説明される主題の１つまたは複数のインプリメンテーションの詳細が、添付図面および以下の説明に記述されている。他の特徴、態様、および有利な点は、明細書、図面、および特許請求の範囲から明らかとなり得る。下記の図面の相対寸法は、縮尺の通りではないことに、留意されたい。
【０００７】
[0007]  本開示の一態様は、無線通信の方法を提供する。方法は、第１のプリアンブル・フィールドを含むパケットを、ワイヤレス・デバイスにおいて、生成することを含む。方法はさらに、第１の周波数ドメイン極性シーケンス（frequency-domain polarity sequence）によって第１のプリアンブル・フィールドにかけることによって第１の反復プリアンブル・フィールド（repeated preamble field）を生成することを含む。方法はさらに、無線デバイスからパケットを送信することを含む。パケットは、第１のプリアンブル・フィールドと第１の反復プリアンブル・フィールドを含む。
【０００８】
[0008]  さまざまな実施形態では、第１のプリアンブル・フィールドは、複数のデバイスによって復号可能であることができ、パケットは、複数のデバイスのサブセットのみによって復号可能である第２のプリアンブル・フィールドを含むことができる。さまざまな実施形態では、第１の周波数ドメイン極性シーケンスは、−１または＋１の所定のシーケンスを含むことができる。さまざまな実施形態では、第１のプリアンブル・フィールドは、３の倍数ではない長さ指示（length indication）を含むことができる。
【０００９】
[0009]  さまざまな実施形態では、方法はさらに、第２の周波数ドメイン極性シーケンスを第２のプリアンブル・フィールドにかけることによって第２の反復プリアンブル・フィールドを生成することを含むことができる。パケットは、他の反復プリアンブル・フィールドを含むことができる。さまざまな実施形態では、第１のプリアンブル・フィールドは、レガシ信号（Ｌ−ＳＩＧ）フィールドを含むことができ、レガシ・プリアンブルは、複数のデバイスによって復号可能であり、第１の反復プリアンブル・フィールドは、反復レガシ信号（ＲＬ−ＳＩＧ）フィールドを含むことができる。
【００１０】
[0010]  別の態様は、ワイヤレス通信を実施するように構成されている装置を提供する。装置は、第１のプリアンブル・フィールドを含むパケットを生成するように構成されているプロセッサを含む。プロセッサは、第１の周波数ドメイン極性シーケンスを第１のプリアンブル・フィールドにかけることによって第１の反復プリアンブル・フィールドを生成するようにさらに構成されている。装置はさらに、装置からパケットを送信するように構成されている送信機を含む。パケットは、第１のプリアンブル・フィールドと第１の反復プリアンブル・フィールドを含む。
【００１１】
[0011]  さまざまな実施形態では、第１のプリアンブル・フィールドは、複数のデバイスによって復号可能であることができ、パケットは、複数のデバイスのサブセットのみによって復号可能である第２のプリアンブル・フィールドを含むことができる。さまざまな実施形態では、第１の周波数ドメイン極性シーケンスは、−１または＋１の所定のシーケンスを含むことができる。さまざまな実施形態では、第１のプリアンブル・フィールドは、３の倍数ではない長さ指示を含むことができる。
【００１２】
[0012]  さまざまな実施形態では、プロセッサは、第２の周波数ドメイン極性シーケンスを第２のプリアンブル・フィールドにかけることによって第２の反復プリアンブル・フィールドを生成するようにさらに構成されている。パケットは、他の反復プリアンブル・フィールドを含むことができる。さまざまな実施形態では、第１のプリアンブル・フィールドは、レガシ信号（Ｌ−ＳＩＧ）フィールドを含むことができ、レガシ・プリアンブルは、複数のデバイスによって復号可能であり、第１の反復プリアンブル・フィールドは、反復レガシ信号（ＲＬ−ＳＩＧ）フィールドを含むことができる。
【００１３】
[0013]  別の態様は、ワイヤレス通信のための別の装置を提供する。その装置は、第１のプリアンブル・フィールドを含むパケットを生成するための手段を含む。装置はさらに、第１の周波数ドメイン極性シーケンスを第１のプリアンブル・フィールドにかけることによって第１の反復プリアンブル・フィールドを生成するための手段を含む。装置はさらに、装置からパケットを送信するための手段をさらに含む。パケットは、第１のプリアンブル・フィールドと第１の反復プリアンブル・フィールドを含む。
【００１４】
[0014]  さまざまな実施形態では、第１のプリアンブル・フィールドは、複数のデバイスによって復号可能であることができ、パケットは、複数のデバイスのサブセットのみによって復号可能である第２のプリアンブル・フィールドを含むことができる。さまざまな実施形態では、第１の周波数ドメイン極性シーケンスは、−１または＋１の所定のシーケンスを含むことができる。さまざまな実施形態では、第１のプリアンブル・フィールドは、３の倍数ではない長さ指示を含むことができる。
【００１５】
[0015]  さまざまな実施形態では、装置はさらに、第２の周波数ドメイン極性シーケンスを第２のプリアンブル・フィールドにかけることによって第２の反復プリアンブル・フィールドを生成するための手段を含むことができる。パケットは、他の反復プリアンブル・フィールドを含むことができる。さまざまな実施形態では、第１のプリアンブル・フィールドは、レガシ信号（Ｌ−ＳＩＧ）フィールドを含むことができ、レガシ・プリアンブルは、複数のデバイスによって復号可能であり、第１の反復プリアンブル・フィールドは、反復レガシ信号（ＲＬ−ＳＩＧ)フィールドを含むことができる。
【００１６】
[0016]  別の態様は、非一時的なコンピュータ可読媒体を提供する。その媒体は、実行されるとき、第１のプリアンブル・フィールドを含むパケットを生成することを装置に行わせるコードを含む。媒体はさらに、実行されるとき、第１の周波数ドメイン極性シーケンスを第１のプリアンブル・フィールドにかけることによって第１の反復プリアンブル・フィールドを生成することを装置に行わせるコードを含む。媒体はさらに、実行されるとき、装置からパケットを送信することを装置に行わせるコードを含む。パケットは、第１のプリアンブル・フィールドと第１の反復プリアンブル・フィールドを含む。
【００１７】
[0017]  さまざまな実施形態では、第１のプリアンブル・フィールドは、複数のデバイスによって復号可能であることができ、パケットは、複数のデバイスのサブセットのみによって復号可能である第２のプリアンブル・フィールドを含むことができる。さまざまな実施形態では、第１の周波数ドメイン極性シーケンスは、−１または＋１の所定のシーケンスを含むことができる。さまざまな実施形態では、第１のプリアンブル・フィールドは、３の倍数ではない長さ指示を含むことができる。
【００１８】
[0018]  さまざまな実施形態では、媒体はさらに、実行されるとき、第２の周波数ドメイン極性シーケンスを第２のプリアンブル・フィールドにかけることによって第２の反復プリアンブル・フィールドを生成することを装置に行わせるコードを含む。パケットは、他の反復プリアンブル・フィールドを含むことができる。さまざまな実施形態では、第１のプリアンブル・フィールドは、レガシ信号（Ｌ−ＳＩＧ）フィールドを含むことができ、レガシ・プリアンブルは、複数のデバイスによって復号可能であり、第１の反復プリアンブル・フィールドは、反復レガシ信号（ＲＬ−ＳＩＧ)フィールドを含むことができる。
【００１９】
[0019]  別の態様は、ワイヤレス通信の別の方法を提供する。この方法は、パケットを、ワイヤレス・デバイスにおいて、生成することを含む。パケットは、レガシ信号（Ｌ−ＳＩＧ）フィールドを含むレガシ・プリアンブルを含み、レガシ・プリアンブルは、複数のデバイスによって復号可能である。パケットはさらに、複数のデバイスのサブセットのみによって復号可能である第２のプリアンブル（例えば、特定のレガシ・システムにおいて使用されるプロトコルとは異なるプロトコル、例えばＩＥＥＥ８０２．１１ａｘ高性能プロトコル、にしたがった通信のために規定されたプリアンブル）を含む。方法はさらに、周波数ドメインにおいて±１のシーケンスで第１のプリアンブル・フィールドをマスキングすることによって反復Ｌ−ＳＩＧフィールド（ＲＬ−ＳＩＧ）を生成することを含む。方法はさらに、無線デバイスからパケットを送信することを含む。パケットは、Ｌ−ＳＩＧフィールドおよびＲＬ−ＳＩＧフィールドを含む。
【００２０】
[0020]  別の態様は、ワイヤレス通信を実施するように構成されている別の装置を提供する。装置は、パケットを生成するように構成されている１つまたは複数のプロセッサを含む。パケットは、レガシ信号（Ｌ−ＳＩＧ）フィールドを含むレガシ・プリアンブルを含み、レガシ・プリアンブルは、複数のデバイスによって復号可能である。パケットはさらに、複数のデバイスのサブセットのみによって復号可能である第２のプリアンブルを含む。プロセッサはさらに、周波数ドメインにおいて±１のシーケンスで第１のプリアンブル・フィールドをマスキングすることによって反復Ｌ−ＳＩＧフィールド（ＲＬ−ＳＩＧ）を生成するように構成されている。装置はさらに、装置からパケットを送信するように構成されている送信機を含む。パケットは、Ｌ−ＳＩＧフィールドおよびＲＬ−ＳＩＧフィールドを含む。
【００２１】
[0021]  別の態様は、ワイヤレス通信の別の方法を提供する。この方法は、第１のプリアンブル・フィールドおよび第１の反復プリアンブル・フィールドを含むパケットを、ワイヤレス・デバイスにおいて、受信することを含む。方法はさらに、第１の周波数ドメイン極性シーケンスを第１の反復プリアンブル・フィールドにかけることによって修正されたプリアンブル・フィールドを生成することを含む。方法はさらに、第１のプリアンブル・フィールドと修正されたプリアンブル・フィールドとを自己相関すること（auto-correlating）を含む。
【００２２】
[0022]  さまざまな実施形態では、第１のプリアンブル・フィールドは、複数のデバイスによって復号可能であることができ、パケットは、複数のデバイスのサブセットのみによって復号可能である第２のプリアンブル・フィールドを含むことができる。さまざまな実施形態では、方法はさらに、前述の自己相関の結果がしきい値を下回る場合にパケットを復号するのをやめることを含むことができる。さまざまな実施形態では、第１の周波数ドメイン極性シーケンスは、−１または＋１の所定のシーケンスの逆（inverse）を含むことができる。
【００２３】
[0023]  さまざまな実施形態では、第１のプリアンブル・フィールドは、３の倍数ではない長さ指示を含むことができる。さまざまな実施形態では、パケットは、他の反復プリアンブル・フィールドを含むことができ、方法はさらに、第１の周波数ドメイン極性シーケンスを他の信号フィールドにかけることによって別の修正されたプリアンブル・フィールドを生成することを含む。
【００２４】
[0024]  別の態様は、ワイヤレス通信を実施するように構成されている別の装置を提供する。その装置は、第１のプリアンブル・フィールドおよび第１の反復プリアンブル・フィールドを含むパケットを受信するように構成されている受信機を含む。装置はさらに、第１の周波数ドメイン極性シーケンスを第１の反復プリアンブル・フィールドにかけることによって修正されたプリアンブル・フィールドを生成するように構成されているプロセッサを含む。プロセッサはさらに、第１のプリアンブル・フィールドと修正されたプリアンブル・フィールドとを自己相関するように構成されている。
【００２５】
[0025]  さまざまな実施形態では、第１のプリアンブル・フィールドは、複数のデバイスによって復号可能であることができ、パケットは、複数のデバイスのサブセットのみによって復号可能である第２のプリアンブル・フィールドを含むことができる。さまざまな実施形態では、プロセッサはさらに、前述の自己相関の結果がしきい値を下回る場合にパケットを復号するのをやめるように構成されることができる。さまざまな実施形態では、第１の周波数ドメイン極性シーケンスは、−１または＋１の所定のシーケンスの逆を含むことができる。
【００２６】
[0026]  さまざまな実施形態では、第１のプリアンブル・フィールドは、３の倍数ではない長さ指示を含むことができる。さまざまな実施形態では、パケットは、他の反復プリアンブル・フィールドを含むことができる。プロセッサは、第１の周波数ドメイン極性シーケンスを他の信号フィールドにかけることによって別の修正されたプリアンブル・フィールドを生成するようにさらに構成されることができる。
【００２７】
[0027]  別の態様は、ワイヤレス通信のための別の装置を提供する。その装置は、第１のプリアンブル・フィールドおよび第１の反復プリアンブル・フィールドを含むパケットを受信するための手段を含む。装置はさらに、第１の周波数ドメイン極性シーケンスを第１の反復プリアンブル・フィールドにかけることによって修正されたプリアンブル・フィールドを生成するための手段を含む。装置はさらに、第１のプリアンブル・フィールドと修正されたプリアンブル・フィールドとを自己相関するための手段を含む。
【００２８】
[0028]  さまざまな実施形態では、第１のプリアンブル・フィールドは、複数のデバイスによって復号可能であることができ、パケットは、複数のデバイスのサブセットのみによって復号可能である第２のプリアンブル・フィールドを含むことができる。さまざまな実施形態では、装置はさらに、前述の自己相関の結果がしきい値を下回る場合にパケットを復号するのをやめるための手段を含むことができる。さまざまな実施形態では、第１の周波数ドメイン極性シーケンスは、−１または＋１の所定のシーケンスの逆を含むことができる。
【００２９】
[0029]  さまざまな実施形態では、第１のプリアンブル・フィールドは、３の倍数ではない長さ指示を含むことができる。さまざまな実施形態では、パケットは、他の反復プリアンブル・フィールドを含むことができる。装置は、第１の周波数ドメイン極性シーケンスを他の信号フィールドにかけることによって別の修正されたプリアンブル・フィールドを生成するための手段をさらに含むことができる。
【００３０】
[0030]  別の態様は、別の非一時的なコンピュータ可読媒体を提供する。その媒体は、実行されるとき、第１のプリアンブル・フィールドと第１の反復プリアンブル・フィールドを含むパケットを受信することを装置に行わせるコードを含む。媒体はさらに、実行されるとき、第１の周波数ドメイン極性シーケンスを第１の反復プリアンブル・フィールドにかけることによって修正されたプリアンブル・フィールドを生成することを装置に行わせるコードを含む。媒体はさらに、実行されるとき、第１のプリアンブル・フィールドと修正されたプリアンブル・フィールドとを自己相関することを装置に行わせるコードを含む。
【００３１】
[0031]  さまざまな実施形態では、第１のプリアンブル・フィールドは、複数のデバイスによって復号可能であることができ、パケットは、複数のデバイスのサブセットのみによって復号可能である第２のプリアンブル・フィールドを含むことができる。さまざまな実施形態では、媒体はさらに、前述の自己相関の結果がしきい値を下回る場合にパケットを復号するのをやめることを装置に行わせるコードを含むことができる。さまざまな実施形態では、第１の周波数ドメイン極性シーケンスは、−１または＋１の所定のシーケンスの逆を含むことができる。
【００３２】
[0032]  さまざまな実施形態では、第１のプリアンブル・フィールドは、３の倍数ではない長さ指示を含むことができる。さまざまな実施形態では、パケットは、他の反復プリアンブル・フィールドを含むことができる。媒体はさらに、実行されるとき、第１の周波数ドメイン極性シーケンスを他の信号フィールドにかけることによって別の修正されたプリアンブル・フィールドを生成することを装置に行わせるコードを含むことができる。
【００３３】
[0033]  別の態様は、ワイヤレス通信の別の方法を提供する。その方法は、パケットを、ワイヤレス・デバイスにおいて、受信することを含む。パケットは、レガシ信号（Ｌ−ＳＩＧ）フィールドを含むレガシ・プリアンブルを含み、レガシ・プリアンブルは、複数のデバイスによって復号可能である。パケットはさらに、反復Ｌ−ＳＩＧフィールド（ＲＬ−ＳＩＧ）を含む。パケットはさらに、複数のデバイスのサブセットのみによって復号可能である第２のプリアンブルを含む。方法はさらに、周波数ドメインにおいて±１の逆シーケンスでＲＬ−ＳＩＧをマスキングすることによって修正されたＬ−ＳＩＧフィールドを生成することを含む。方法はさらに、Ｌ−ＳＩＧフィールドと修正されたＬ−ＳＩＧフィールドとを自己相関することを含む。
【００３４】
[0034]  別の態様は、ワイヤレス通信を実施するように構成されている別の装置を提供する。装置は、パケットを受信するように構成されている受信機を含む。パケットは、レガシ信号（Ｌ−ＳＩＧ）フィールドを含むレガシ・プリアンブルを含み、レガシ・プリアンブルは、複数のデバイスによって復号可能である。パケットはさらに、反復Ｌ−ＳＩＧフィールド（ＲＬ−ＳＩＧ）を含む。パケットはさらに、複数のデバイスのサブセットのみによって復号可能である第２のプリアンブルを含む。装置はさらに、周波数ドメインにおいて±１の逆シーケンスでＲＬ−ＳＩＧをマスキングすることによって修正されたＬ−ＳＩＧフィールドを生成するように構成されている１つまたは複数のプロセッサを含む。プロセッサはさらに、Ｌ−ＳＩＧフィールドと修正されたＬ−ＳＩＧフィールドとを自己相関するように構成されている。
【図面の簡単な説明】
【００３５】
【図１】[0035]  図１は、本開示の態様が用いられることができるワイヤレス通信システムの例を例示する。
【図２】[0036]  図２は、図１のワイヤレス通信システム内で用いられることができるワイヤレス・デバイスにおいて利用されることができるさまざまなコンポーネントを例示する。
【図３】[0037]  図３は、８０２．１１システムに利用可能であるチャネルのためのチャネル割当てを例示する。
【図４】[0038]  図４は、いくつかのＩＥＥＥ８０２．１１規格に関わるデータ・パケット・フォーマットを例示する。
【図５】図５は、いくつかのＩＥＥＥ８０２．１１規格に関わるデータ・パケット・フォーマットを例示する。
【図６】[0039]  図６は、ＩＥＥＥ８０２．１１ａｃ規格に関わるフレーム・フォーマットを例示する。
【図７】[0040]  図７は、後方互換性のある（backward-compatible）多元接続ワイヤレス通信を可能にするために使用されることができる物理レイヤ・パケットの例示的な構造を例示する。
【図８】[0041]  図８は、ワイヤレス通信を可能にするために使用されることができるアップリンクまたはダウンリンク物理レイヤ・パケットの例示的な構造を例示する。
【図９】[0042]  図９は、ワイヤレス通信を可能にするために使用されることができるアップリンク物理レイヤ・パケットの別の例示的な構造を例示する。
【図１０】[0043]  図１０は、図１のワイヤレス通信システム内で用いられることができるワイヤレス通信の例示的な方法に関わるフローチャートを示す。
【図１１】[0044]  図１１は、図１のワイヤレス通信システム内で用いられることができるワイヤレス通信の例示的な方法に関わる別のフローチャートを示す。
【発明を実施するための形態】
【００３６】
[0045]  新規なシステム、装置、および方法のさまざまな態様が、添付の図面を参照して以下により十分に説明される。しかしながら、開示される本教示は、多くの異なる形態で具現化されることができ、本開示全体を通して提示される任意の特定の構造または機能に限定されるものとして解釈されるべきではない。むしろ、これらの態様は、本開示が徹底的かつ完全なものとなり、本開示の範囲を当業者に十分に伝達するように、提供される。本書での教示に基づき、当業者は、本開示の範囲が、本発明のその他任意の態様と組み合わされてインプリメントされようと、あるいは独立してインプリメントされようと、本書に開示される新規なシステム、装置、および方法の任意の態様をカバーするように意図されていることを理解すべきである。例えば、本書に説明される任意の数の態様を使用して、装置がインプリメントされることができ、または方法が実施されることができる。加えて、本書で説明した発明の多様な態様に加えた、または、本書で説明した発明の多様な態様以外の、他の構成、機能性、または、構成および機能性を使用して実施されるそのような装置または方法をカバーすることを、発明の範囲は意図されている。本書で開示される任意の態様は、特許請求の範囲の１つまたは複数の要素によって具現化されることができることが理解されるべきである。
【００３７】
[0046]  特定の態様が本書で説明されるが、これらの態様の多くの変形および置換が、本開示の範囲内に含まれる。好ましい態様のいくつかの恩恵および利点が記述されるが、本開示の範囲は、特定の恩恵、使用法、または目的に限定されるように意図されたものではない。むしろ、本開示の態様は、異なるワイヤレス技術、システム構成、ネットワーク、および伝送プロトコルに幅広く適用可能であるように意図されており、そのうちのいくつかは、図面および好ましい態様の下記の説明において例として例示される。詳細な説明および図面は単に、限定というよりはむしろ本開示の例示であり、本開示の範囲は、添付された特許請求の範囲およびそれらの同等物によって定義されている。
【００３８】
[0047]  ワイヤレス・ネットワーク技術は、ワイヤレス・ローカル・エリア・ネットワーク（ＷＬＡＮ）のさまざまなタイプを含むことができる。ＷＬＡＮは、広く使用されるネットワーキング・プロトコルを用いて、近くのデバイスを合わせて相互接続するために使用されることができる。本書で説明されるさまざまな態様は、ＷｉＦｉ、またはより一般的には、無線プロトコルのＩＥＥＥ ８０２．１１ファミリの任意のメンバのような、任意の通信規格に適用されることができる。例えば、本書に説明されるさまざまな態様は、直交周波数分割多元接続（ＯＦＤＭＡ）通信をサポートする８０２．１１プロトコルのような、ＩＥＥＥ８０２．１１プロトコルの一部として使用されることができる。
【００３９】
[0048]  いくつかの態様では、ワイヤレス信号は、８０２．１１プロトコルにしたがって送信されることができる。いくつかのインプリメンテーションにおいて、ＷＬＡＮは、ワイヤレス・ネットワークにアクセスするコンポーネントであるさまざまなデバイスを含む。例えば、アクセス・ポイント（「ＡＰ」）と（局、または「ＳＴＡ」とも呼ばれる）クライアントとの２つのタイプのデバイスが存在することができる。一般に、ＡＰは、ＷＬＡＮのためのハブまたは基地局として役目を果たすことができ、ＳＴＡは、ＷＬＡＮのユーザとして役目を果たす。例えば、ＳＴＡは、ラップトップ・コンピュータ、携帯情報端末(ＰＤＡ)、モバイル電話機などであることができる。例において、ＳＴＡは、インターネットにまたは他のワイド・エリア・ネットワークに対する一般的な接続性を取得するためにワイヤレス・リンクに準拠したＷｉＦｉを介してＡＰに接続する。いくつかのインプリメンテーションでは、ＳＴＡはまた、ＡＰとして使用されることができる。
【００４０】
[0049]  アクセス・ポイント（ＡＰ）はまた、基地局、ワイヤレス・アクセス・ポイント、アクセス・ノードまたは同様の専門用語を含むか、それらとしてインプリメントされるか、それらとして知られることができる。
【００４１】
[0050]  局（「ＳＡＴ」）はまた、アクセス端末（ＡＴ）、加入者局、加入者ユニット、モバイル局、リモート局、リモート端末、ユーザ端末、ユーザ・エージェント、ユーザ・デバイス、ユーザ機器、またはいくつかの他の専門用語としてインプリメントされる、またはそれらとして知られる、またはそれらを含むことができる。したがって、本書で教示される１つまたは複数の態様は、電話機（例えば、セルラ電話機またはスマートフォン）、コンピュータ（例えば、ラップトップ）、ポータブル通信デバイス、ヘッドセット、ポータブル・コンピューティング・デバイス（例えば、パーソナル・データ・アシスタント）、エンターテインメント・デバイス（例えば、音楽またはビデオのデバイス、または衛星ラジオ）、ゲーム・デバイスまたはシステム、グローバル・ポジショニング・システム・デバイス、あるいはワイヤレス媒体を介する通信のために構成される任意の他の適切なデバイスの中に組み込まれることができる。
【００４２】
[0051]  上述されたように、本書で説明されるデバイスのうちのある特定のものは、例えば、８０２．１１規格をインプリメントすることができる。このようなデバイスは、ＳＴＡとして使用されようと、ＡＰとして使用されようと、またはその他のデバイスとして使用されようと、スマート・メータリング（smart metering）のために、または、スマート・グリット・ネットワークにおいて、使用されることができる。そのようなデバイスは、センサ・アプリケーションを提供することができ、またはホーム・オートメーションで使用されることができる。デバイスは、代わりにまたは加えて、例えば、個人のヘルスケアといったヘルスケアのコンテキストで使用されることができる。それらはまた、(例えば、ホットスポットとともに使用するための)拡張された範囲のインターネットの接続性を可能にするために、または、マシン・ツー・マシン通信をインプリメントするために、調査に使用されることができる。
【００４３】
[0052]  同時にアクセス・ポイント（ＡＰ）と通信することを、多数のデバイス、例えば局（ＳＴＡ）に可能にすることが、有益であり得る。例えば、このことは、より少ない時間でＡＰから反応を受信することと、より少ない遅延でＡＰからデータを送信および受信できることを、多数のＳＴＡに可能にすることができる。このことはまた、全体的により多数のデバイスと通信することをＡＰに可能にすることができ、また、帯域幅の使用をより効率的にすることができる。多元接続通信を使用することによって、ＡＰは、例えば、８０ＭＨｚ帯域幅上で一度に４つのデバイスに対して、直交周波数分割多重（ＯＦＤＭ）シンボルを多重化することが可能となり得る、ここにおいて各デバイスは、２０ＭＨｚ帯域幅を使用する。かくして、ＡＰに対して利用可能なスペクトルの使用をより有効にすることをＡＰに可能にすることができる場合、多元接続は、いくつかの態様において有益であることができる。
【００４４】
[0053]  異なるＳＴＡに対してＡＰおよびＳＴＡ間で送信されるシンボルの異なるサブキャリア（またはトーン）を割り当てることによって８０２．１１ファミリのようなＯＦＤＭシステムにおいてこのような多元接続プロトコルをインプリメントすることが、提案されてきている。この方法で、異なるトーンのシンボルが異なるＳＴＡによって復号および処理された場合に、ＡＰは、単一の送信されたＯＦＤＭシンボルで多数のＳＴＡと通信することができ、かくして、多数のＳＴＡに対する同期されたデータ送信が可能となる。これらのシステムは、時としてＯＦＤＭＡシステムと呼ばれる。
【００４５】
[0054]  このようなトーン割当てスキームは、「高効率（high-efficiency）」（ＨＥ）システムと本書では呼ばれ、このような多数のトーン割当てシステムにおいて送信されるデータ・パケットは、高効率（ＨＥ）パケットと呼ばれることができる。このようなパケットのさまざまな構造は、後方互換性のあるプリアンブル・フィールドを含めて、以下に詳細に説明される。
【００４６】
[0055]  図１は、本開示の態様が用いられることができるワイヤレス通信システム１００の例を例示する。ワイヤレス通信システム１００は、ワイヤレス規格、例えば、８０２．１１ａｈ、８０２．１１ac、８０２．１１ｎ、８０２．１１ｇ、８０２．１１ｂ、および他の／今後の８０２．１１規格のうちの少なくとも１つに準拠して、動作することができる。ワイヤレス通信システム１００は、例えば、８０２．１１ａｘ規格のような、高効率のワイヤレス規格に準拠して動作することができる。ワイヤレス通信システム１００は、ＡＰ１０４を含むことができ、それは、（本書では概して（１つまたは複数の）ＳＴＡ１０６と呼ばれることができる）ＳＴＡ１０６Ａ乃至１０６Ｄと通信する。
【００４７】
[0056]  さまざまな処理および方法は、ＡＰ１０４およびＳＴＡ１０６Ａ乃至１０６Ｄ間のワイヤレス通信システム１００における送信のために使用されることができる。例えば、信号は、ＯＦＤＭ／ＯＦＤＭＡ技術にしたがって、ＡＰ１０４およびＳＴＡ１０６Ａ乃至１０６Ｄ間で送信および受信されることができる。この場合、ワイヤレス通信システム１００は、ＯＦＤＭ／ＯＦＤＭＡシステムと呼ばれることができる。代わって、信号は、符号分割多元接続(ＣＤＭＡ)技術にしたがってＡＰ１０４とＳＴＡ１０６Ａ乃至１０６Ｄ間で送信および受信されることができる。この場合、ワイヤレス通信システム１００は、ＣＤＭＡシステムと呼ばれることができる。
【００４８】
[0057]  ＡＰ１０４からＳＴＡ１０６Ａ乃至１０６Ｄのうちの１つまたは複数ヘの送信を容易にする通信リンクは、ダウンリンク（ＤＬ）１０８と呼ばれることができ、ＳＴＡ１０６Ａ乃至１０６Ｄのうちの１つまたは複数からＡＰ１０４への送信を容易にする通信リンクは、アップリンク(ＵＬ)１１０と呼ばれることができる。代わって、ダウンリンク１０８は順方向リンク（forward link）または順方向チャネルと呼ばれることができ、アップリンク１１０は逆方向リンク（reverse link）または逆方向チャネルと呼ばれることができる。
【００４９】
[0058]  ＡＰ１０４は、基地局として作動すること、および基本サービス・エリア(ＢＳＡ)１０２においてワイヤレス通信カバレッジを提供することができる。ＡＰ１０４は、ＡＰ１０４と関連する、および通信にＡＰ１０４を使用するＳＴＡ１０６Ａ乃至１０６Ｄとともに、基本サービス・セット(ＢＳＳ)と呼ばれることができる。ワイヤレス通信システム１００は、中央ＡＰ１０４を有していない可能性があるが、むしろＳＴＡ１０６Ａ乃至１０６Ｄ間でのピア・ツー・ピア・ネットワークとして機能することができることが留意され得る。したがって、本書で説明されたＡＰ１０４の機能は、ＳＴＡ１０６Ａ乃至１０６Ｄのうちの１つまたは複数によって代わりに実施されることができる。
【００５０】
[0059]  いくつかの態様において、ＳＴＡ１０６は、ＡＰ１０４に通信を送るおよび／またはＡＰ１０４から通信を受信するために、ＡＰ１０４と関連付けする必要があり得る。一態様において、関連付けのための情報は、ＡＰ１０４によるブロードキャスト内に含まれる。そのようなブロードキャストを受信するために、ＳＴＡ１０６は、例えば、カバレッジ領域にわたって広範囲のカバレッジ・サーチを実施することができる。サーチはまた、例えば、灯台のような形式でカバレッジ領域をスイープする（sweeping a coverage region in a lighthouse fashion）ことによってＳＴＡ１０６によって実施されることができる。関連付けのための情報を受信した後、ＳＴＡ１０６は、ＡＰ１０４に、関連付けプローブまたは要求のような、参照信号を送信することができる。いくつかの態様では、ＡＰ１０４は、例えば、インターネットまたは公共交換電話ネットワーク（ＰＳＴＮ：public switched telephone network）のようなより大きいネットワークと通信するために、バックホール・サービスを使用することができる。
【００５１】
[0060]  一実施形態において、ＡＰ１０４は、ＡＰ高効率ワイヤレス・コントローラ（ＨＥＷ：high-efficiency wireless controller）１５４を含む。ＡＰ ＨＥＷ１５４は、８０２．１１プロトコルを使用してＡＰ１０４およびＳＴＡ１０６Ａ乃至１０６Ｄ間での通信を可能にするために本書において説明される動作のうちのいくつかまたは全てを実施することができる。ＡＰ ＨＥＷ１５４の機能性は、図４乃至１０に関して以下においてより詳細に説明される。
【００５２】
[0061]  代わって、または加えて、ＳＴＡ１０６Ａ乃至１０６Ｄは、ＳＴＡ ＨＥＷ１５６を含むことができる。ＳＴＡ ＨＥＷ１５６は、８０２．１１プロトコルを使用してＳＴＡ１０６Ａ乃至１０６ＤおよびＡＰ１０４間での通信を可能にするために本書において説明される動作のうちのいくつかまたは全てを実施することができる。ＳＴＡ ＨＥＷ１５６の機能性は、図２乃至１０に関して以下においてより詳細に説明される。
【００５３】
[0062]  図２は、図１のワイヤレス通信システム１００内で用いられることができるワイヤレス・デバイス２０２において使用されることができるさまざまなコンポーネントを例示する。ワイヤレス・デバイス２０２は、本書で説明されるさまざまな方法をインプリメントするように構成されることができるデバイスの例である。例えば、ワイヤレス・デバイス２０２は、ＡＰ１０４、またはＳＴＡ１０６Ａ乃至１０６Ｄのうちの１つを含むことができる。
【００５４】
[0063]  ワイヤレス・デバイス２０２は、ワイヤレス・デバイス２０２の動作を制御するプロセッサ２０４を含むことができる。プロセッサ２０４はまた、中央処理ユニット（ＣＰＵ）またはハードウェア・プロセッサとも呼ばれることができる。メモリ２０６は、読取専用メモリ（ＲＯＭ）ランダム・アクセス・メモリ（ＲＡＭ）、またはそれら両方を含むことができ、命令およびデータをプロセッサ２０４に提供する。メモリ２０６の一部は、不揮発性ランダム・アクセス・メモリ（ＮＶＲＡＭ）も含むことができる。プロセッサ２０４は典型的に、メモリ２０６内に記憶されたプログラム命令に基づいて論理および算術演算を実施する。メモリ２０６中の命令は、本書に説明された方法をインプリメントすることを実行可能であることができる。
【００５５】
[0064]  プロセッサ２０４は、１つまたは複数のプロセッサでインプリメントされる処理システムのコンポーネントであるか、それを含むことができる。１つまたは複数プロセッサは、汎用マイクロプロセッサ、マイクロコントローラ、デジタル信号プロセッサ（ＤＳＰ）、フィールド・プログラマブル・ゲート・アレイ（ＦＰＧＡ）、プログラマブル論理デバイス（ＰＬＤ）、コントローラ、ステート・マシン、ゲート論理、離散ハードウェア・コンポーネント、専用ハードウェア有限ステート・マシン、または演算または情報の他の操作を実施することができる任意の他の適切なエンティティの、任意の組み合わせでインプリメントされることができる。
【００５６】
[0065]  処理システムはまた、ソフトウェアを記憶するための非一時的な機械可読媒体を含むことができる。ソフトウェアは、ソフトウェア、ファームウェア、ミドルウェア、マイクロコード、ハードウェア記述言語、またはそれ以外で呼ばれるかどうかにかかわらず、任意のタイプの命令を意味するように広く解釈されるべきである。命令は、コード（例えば、ソース・コード・フォーマット、２進コード・フォーマット、実行可能コード・フォーマット、またはコードの任意の他の適切なフォーマット）を含むことができる。命令は、１つまたは複数のプロセッサによって実行される場合、本書で説明されたさまざまな機能を実施することを処理システムに行わせる。
【００５７】
[0066]  ワイヤレス・デバイス２０２はまた、ワイヤレス・デバイス２０２とリモート位置との間のデータの送信および受信を可能にするための送信機２１０および受信機２１２を含むことができるハウジング２０８を含むことができる。送信機２１０および受信機２１２は、トランシーバ２１４に結合されることができる。アンテナ２１６は、ハウジング２０８に取り付けられ、トランシーバ２１４に電気的に結合されることができる。ワイヤレス・デバイス２０２はまた、複数の送信機、複数の受信機、複数のトランシーバ、および／または複数のアンテナを含むことができ、それらは、例えば、多入力多出力（ＭＩＭＯ）通信の間に利用されることができる。
【００５８】
[0067]  ワイヤレス・デバイス２０２はまた、トランシーバ２１４によって受信された信号のレベルを検出および定量化する試みにおいて使用されることができる信号検出器２１８を含むことができる。信号検出器２１８は、総エネルギー、シンボルあたりのサブキャリアごとのエネルギー、電力スペクトル密度、および他の信号のような信号を検出することができる。ワイヤレス・デバイス２０２はまた、信号を処理するときに使用するために、デジタル信号プロセッサ（ＤＳＰ）２２０を含むことができる。ＤＳＰ２２０は、送信のためのデータ・ユニットを生成するように構成されることができる。いくつかの態様では、データ・ユニットは、物理レイヤ・データ・ユニット（ＰＰＤＵ）を含むことができる。いくつかの態様において、ＰＰＤＵはパケットと呼ばれる。
【００５９】
[0068]  ワイヤレス・デバイス２０２はさらに、いくつかの態様では、ユーザ・インタフェース２２２を含むことができる。ユーザ・インタフェース２２２は、キーパッド、マイクロフォン、スピーカ、および／またはディスプレイを含むことができる。ユーザ・インタフェース２２２は、ワイヤレス・デバイス２０２のユーザに情報を搬送する、および／またはユーザからインプットを受信する任意のエレメントまたはコンポーネントを含むことができる。
【００６０】
[0069]  ワイヤレス・デバイス２０２のさまざまなコンポーネントは、バス・システム２２６によって結合されることができる。バス・システム２２６は、例えば、データ・バスと、並びにパワー・バス、制御信号バス、およびデータ・バスに加えてステータス信号バスを含むことができる。当業者は、ワイヤレス・デバイス２０２のコンポーネントが、いくつかの他のメカニズムを使用して互いに結合される、またはインプットを承認あるいは提供することができることを、理解することができる。
【００６１】
[0070]  多数の別個のコンポーネントが図２に図示されるが、当業者は、１つまたは複数のコンポーネントは、結合される、または共通にインプリメントされることができるということを認識することができる。例えば、プロセッサ２０４は、プロセッサ２０４に関して上述された機能性をインプリメントするだけでなく、信号検出器２１８および／またはＤＳＰ２２０に関して上述された機能性をインプリメントするためにも使用されることができる。さらに、図２に図示されたコンポーネントの各々は、複数の別個のエレメントを使用してインプリメントされることができる。
【００６２】
[0071]  上記に説明されたように、ワイヤレス・デバイス２０２は、ＡＰ１０４またはＳＴＡ１０６Ａ乃至１０６Ｄを含むことができ、通信を送信および／または受信するために使用されることができる。ワイヤレス・ネットワークにおけるデバイス間で交換される通信は、パケットまたはフレームを含むことができるデータ・ユニットを含むことができる。いくつかの態様では、データ・ユニットは、データ・フレーム、制御フレーム、および／または管理フレームを含むことができる。データ・フレームは、ＡＰおよび／またはＳＴＡから他のＡＰおよび／またはＳＴＡにデータを送信するために使用されることができる。制御フレームは、さまざまな動作を実施するために、およびデータを確実に送るためにデータ・フレームとともに使用されることができる（例えば、データの承認受信、ＡＰのポーリング、エリア・クリアリング（area-clearing）動作、チャネル捕捉、キャリア検知（carrier-sensing）維持機能など）。管理フレームは、さまざまな監督機能のために（例えばワイヤレス・ネットワークからの逸脱、およびそれらの結合のために）使用されることができる。
【００６３】
[0072]  図３は、８０２．１１システムに利用可能であるチャネルのためのチャネル割当てを例示する。さまざまなＩＥＥＥ８０２．１１システムは、５、１０、２０、４０、８０および１６０ＭＨｚのチャネルのような、多数の異なるサイズのチャネルをサポートする。例えば、８０２．１１ａｃデバイスは、２０、４０、および８０ＭＨｚのチャネル帯域幅の受信および送信をサポートすることができる。より大きいチャネルは、２つの隣接した、または離間されたより小さいチャネルを含むことができる。例えば、８０ＭＨｚチャネルは、２つの隣接した、または離間された４０ＭＨｚのチャネルを含むことができる。少なくともいくつかのＩＥＥＥ８０２．１１システムにおいて、２０ＭＨｚのチャネルは、３１２．５ｋＨｚによって互いに離間されている６４個のサブキャリアを含む。これらのサブキャリアのうち、より少数が、データを搬送するために使用されることができる。例えば、２０ＭＨｚチャネルは、−１乃至−２８、および１乃至２８の番号が付けられたサブキャリア、または５６個のサブキャリアを送信することを含むことができる。これらのキャリアのいくつかはまた、パイロット信号を送信するために使用されることができる。
【００６４】
[0073]  図４および５は、いくつかのＩＥＥＥ８０２．１１規格に関わるデータ・パケット・フォーマットを例示する。先ず図４を参照すると、ＩＥＥＥ８０２．１１ａ、１１ｂおよび１１ｇに関わるパケット・フォーマットが例示されている。このフレームは、ショート・トレーニング・フィールド４２２、ロング・トレーニング・フィールド４２４、および信号フィールド４２６を含む。トレーニング・フィールドはデータを送信しないが、それらは、データ・フィールド４２８においてデータを復号するための、ＡＰおよび受信するＳＴＡ間の同期を可能にする。
【００６５】
[0074]  信号フィールド４２６は、搬送されるパケットの性質に関わる情報を、ＡＰからＳＴＡに搬送する。ＩＥＥＥ８０２．１１ｂ／ｇデバイスにおいて、この信号フィールドは、２４ビットの長さを有し、１／２のコード・レートおよびＢＰＳＫ変調を使用して６Ｍｂ／ｓで単一のＯＦＤＭシンボルとして送信される。ＳＩＧフィールド４２６における情報は、（例えばＢＰＳＫ、１６ＱＡＭ、６４ＱＡＭなどのような）パケットにおけるデータの変調スキームを表す４ビットと、パケット長に関わる１２ビットを含む。この情報は、パケットがＳＴＡに向けられる場合にパケットにおいてデータを復号するために、ＳＴＡによって使用される。パケットが特定のＳＴＡに向けられない場合、ＳＴＡは、ＳＩＧシンボル４２６の長さフィールドにおいて規定される時間ピリオドの間に任意の通信の試みを延期することができ、および、電力を節約するために、約５．５ｍｓｅｃまでのパケット期間の間に、スリープ・モードに入ることができる。
【００６６】
[0075]  複数の特徴がＩＥＥＥ８０２．１１に加えられたので、データ・パケットにおけるＳＩＧフィールドのフォーマットへの変更が、ＳＴＡに追加の情報を提供するために展開された。図５は、ＩＥＥＥ８０２．１１ｎパケットに関わるパケット構造を示す。ＩＥＥＥ８０２．１１規格への１１ｎの追加が、ＩＥＥＥ．８０２．１１に準拠したデバイスにＭＩＭＯ機能性を追加した。ＩＥＥＥ８０２．１１ｂ／ｇデバイスとＩＥＥＥ８０２．１１ｎデバイスの両方を含むシステムに関わる後方互換性を提供するために、ＩＥＥＥ８０２．１１ｎシステムに関わるデータ・パケットはまた、「レガシ」フィールドであることを意味するための接頭語のＬを備えたＬ−ＳＴＦ４２２、Ｌ−ＬＴＦ４２４およびＬ−ＳＩＧ４２６として知られている、これらの以前のシステムのＳＴＦ、ＬＴＦおよびＳＩＧフィールドを含む。ＩＥＥＥ８０２．１１ｎ環境においてＳＴＡに必要な情報を提供するために、２つのさらなる信号シンボル４４０および４４２が、ＩＥＥＥ８０２．１１ｎデータ・パケットに加えられた。しかしながら、ＳＩＧフィールドおよびＬ−ＳＩＧフィールド４２６と対称的に、これらの信号フィールドは、回転ＢＰＳＫ変調（ＱＢＰＳＫ変調とも呼ばれる）を使用した。ＩＥＥＥ８０２．１１ｂ／ｇで動作するように構成されているレガシ・デバイスがこのようなパケットを受信するとき、それは、通常の１１／ｂ／ｇパケットとしてＬ−ＳＩＧフィールド４２６を受信および復号することができる。しかしながら、デバイスが追加のビットを復号し続けた場合、Ｌ−ＳＩＧフィールド４２６の後のデータ・パケットのフォーマットが１１／ｂ／ｇパケットのフォーマッとは異なり、およびこのプロセスの間にデバイスによって実施されるＣＲＣチェックが失敗し得るため、追加のビットは成功裏に復号されない可能性がある。このことは、これらのレガシ・デバイスに、パケットを処理することを停止させるが、最初に復号されたＬ−ＳＩＧにおける長さフィールドによって規定された期間が過ぎるまで、任意のさらなる動作をさらに延期させる。対称的に、ＩＥＥＥ８０２．１１ｎに準拠した新しいデバイスは、ＨＴ−ＳＩＧフィールドにおいて回転変調を検知し、および８０２．１１ｎパケットとしてパケットを処理し得る。さらに、１１ｎデバイスは、パケットが１１／ｂ／ｇデバイスに向けられていることを伝えることができる、なぜなら、それがＬ−ＳＩＧ４２６に後続するシンボルにおいてＱＢＰＳＫ以外の任意の変調を検知する場合に、それを１１／ｂ／ｇパケットとして無視することができるからである。ＨＴ−ＳＩＧ１およびＳＩＧ２シンボルの後に、ＭＩＭＯ通信に適切な追加のトレーニング・フィールドが提供され、それは、データ４２８によって後続される。
【００６７】
[0076]  図６は、ＩＥＥＥ８０２．１１ａｃ規格に関わるフレーム・フォーマットを例示しており、それは、ＩＥＥＥ８０２．１１ファミリにマルチ・ユーザＭＩＭＯ機能性を加えたものである。ＩＥＥＥ８０２．１１ｎと同様に、８０２．１１ａｃフレームは、同じレガシ・ショート・トレーミング・フィールド（Ｌ−ＳＴＦ）４２２およびロング・トレーニング・フィールド（Ｌ−ＬＴＦ）４２４を含む。８０２．１１ａｃフレームはまた、上述のようにレガシ信号フィールドＬ−ＳＩＧ４２６を含む。
【００６８】
[0077]  次に、８０２．１１ａｃフレームは、２シンボルの長さの超高スループット信号（Very High Throughput Signal）（ＶＨＴ−ＳＩＧ−Ａ１ ４５０およびＡ２ ４５２）フィールドを含む。この信号フィールドは、１１／ｂ／ｇおよび１１ｎデバイスに示されていない１１ａｃ特徴に関連した追加の構成情報を提供する。ＶＨＴ−ＳＩＧ−Ａの第１のＯＦＤＭシンボル４５０は、ＢＰＳＫを使用して変調されることができ、その結果パケットをリッスンする（listening to）任意の８０２．１１ｎデバイスは、パケットが８０２．１１ａパケットであることを確信することができ、Ｌ−ＳＩＧ４２６の長さフィールドにおいて規定されるようなパケット長の持続時間の間、パケットを延期することができる。１１／ｇにしたがって構成されているデバイスは、Ｌ−ＳＩＧ４２６フィールドに続いてサービス・フィールドおよびＭＡＣヘッダを予期することができる。それらがこれを復号しようと試みる場合、ＣＲＣの不履行（failure）が、１１ｎパケットが１１ｂ／ｇデバイスによって受信される場合のプロシージャと類似した方法で生じ得、１１／ｂ／ｇデバイスはまた、Ｌ−ＳＩＧフィールド４２６において規定される期間の間延期することができる。ＶＨＴ−ＳＩＧ−Ａの第２のシンボル４５２は、９０度回転したＢＰＳＫで変調される。この回転した第２のシンボルは、８０２．１１ａｃパケットとしてパケットを特定することを、８０２．１１ａｃデバイスに可能にする。ＶＨＴ−ＳＩＧＡ１ ４５０およびＡ２ ４５２フィールドは、帯域幅モードに関する情報、単一ユーザの場合のための変調およびコード化スキーム（ＭＣＳ）、空間時間ストリームの数（ＮＳＴＳ）、および他の情報を含む。ＶＨＴ−ＳＩＧＡ１ ４５０およびＡ２ ４５２はまた、「１」にセットされる多数の保有されたビットを含むことができる。レガシ・フィールドおよびＶＨＴ−ＳＩＧＡ１およびＡ２フィールドは、利用可能な帯域幅の各２０ＭＨｚ上で複製されることができる。複製は、いくつかのインプリメンテ―ションにおいて、余分なコピーであること、またはそれを作成することを意味すると解釈され得るが、特定の違いが、フィールドなどが本書に説明されるように複製される場合に、存在し得る。例えば、他のインプリメンテーションは、特定の違いを有するようにフィールドを故意に複製し得る。
【００６９】
[0078]  ＶＨＴ−ＳＩＧ−Ａの後に、８０２．１１ａｃパケットはＶＨＴ−ＳＴＦを含むことができ、それは、多入力多出力（ＭＩＭＯ）送信において自動利得制御推定（automatic gain control estimation）を改良するように構成されている。８０２．１１ａｃの次の１乃至８フィールドは、ＶＨＴ−ＬＴＦであることができる。これらは、ＭＩＭＯチャネルを推定し、そして受信された信号を均一化するために使用されることができる。送られるＶＨＴ−ＬＴＦの数は、ユーザごとの空間ストリームの数より大きいか、それに等しくなることができる。最後に、データ・フィールドの前のプリアンブルにおける最後のフィールドは、ＶＨＴ−ＳＩＧ−Ｂ４５４である。このフィールドは、ＢＰＳＫ変調され、パケットにおける有用なデータの長さに関わる情報を提供し、多数のユーザ（ＭＵ）ＭＩＭＯパケットの場合に、ＭＣＳを提供する。単一のユーザ（ＳＵ）の場合、このＭＣＳ情報は、代わってＶＨＴ−ＳＩＧＡ２に含まれる。ＶＨＴ−ＳＩＧ−Ｂに後続して、データ・シンボルが送信される。
【００７０】
[0079]  ８０２．１１ａｃが８０２．１１ファミリにさまざまな新しい特徴を導入し、１１／ｇ／ｎデバイスと後方互換性のあるプリアンブル設計を有するデータ・パケットを含み、および、１１ａｃの新しい特徴をインプリメントするために必要な情報を提供したが、多元接続のためのＯＦＤＭＡトーン割当てに関わる構成情報は、１１ａｃデータ・パケット・デザインによって提供されない。新しいプリアンブル構成は、ＯＦＤＭサブキャリアを使用して、ＩＥＥＥ８０２．１１の任意の将来版、または任意の他のワイヤレス・ネットワーク・プロトコルにおいて、このような特徴をインプリメントすることが望ましい。
【００７１】
[0080]  図７は、後方互換性のある（backward-compatible）多元接続ワイヤレス通信を可能にするために使用されることができる物理レイヤ・パケットの例示的な構造を例示する。この例では、物理レイヤ・パケット、Ｌ−ＳＴＦ４２２、Ｌ−ＬＴＦ４２６、およびＬ−ＳＩＧ４２６を含むレガシ・プリアンブルが、含まれる。さまざまな実施形態では、Ｌ−ＳＴＦ４２２、Ｌ−ＬＴＦ４２６、およびＬ−ＳＩＧ４２６の各々は、２０ＭＨｚを使用して送信されることができ、複数のコピーは、ＡＰ１０４（図１）が使用する各２０ＭＨｚのスペクトルのために送信されることができる。当業者は、図示されている物理レイヤ・パケットが追加のフィールドを含むことができること、フィールドが再配置、移動、および／またはサイズ変更されることができること、およびフィールドのコンテンツが変わったことを、理解することができる。このパケットはまた、ＨＥ−ＳＩＧ０シンボル４５５、および（長さが変更可能であり得る）１つまたは複数のＨＥ−ＳＩＧ１Ａシンボル４５７、および（図６のＶＨＴ−ＳＩＧ１Ｂフィールド４５４に類似し得る）選択的なＨＥ−ＳＩＧ１Ｂシンボル４５９を含む。さまざまな実施形態では、これらのフィールドの構造は、ＩＥＥＥ８０２．１１ｂ／ｇ／ｎ／ａｃデバイスと後方互換性を有することができ、また、パケットがＨＥパケットであることをＯＦＤＭＡ ＨＥデバイスに信号伝達することができる。ＩＥＥＥ８０２．１１ｂ／ｇ／ｎ／ａｃデバイスと後方互換性を有するように、適切な変調がこれらシンボルの各々に使用されることができる。いくつかのインプリメンテーションでは、ＨＥ−ＳＩＧ０フィールド４５５は、ＢＰＳＫ変調で変調されることができる。このことは、現在のＢＰＳＫ変調された第１のＳＩＧシンボルを有する８０２．１１ａｃパケットの場合と同じ効果を８０２．１１ｂ／ｇ／ｎデバイスに対して有することができる。これらのデバイスに関しては、次のＨＥ−ＳＩＧシンボル４５７においてどのような変調が有っても問題ではない。さまざまな実施形態では、ＨＥ−ＳＩＧ０フィールド４５５は、多数のチャネルにわたって変調されかつ反復されることができる。
【００７２】
[0081]  さまざまな実施形態では、ＨＥ−ＳＩＧ１Ａフィールド４５７は、ＢＰＳＫまたはＱＢＰＳＫ変調されることができる。ＢＰＳＫ変調される場合、１１ａｃデバイスは、パケットが８０２．１１ｂ／ｇパケットであることを想定することができ、パケットを処理するのをやめることができ、Ｌ−ＳＩＧ４２６の長さフィールドによって規定される時間の間延長することができる。ＱＢＰＳＫ変調される場合、８０２．１１ａｃデバイスは、プリアンブル・プロセスの間にＣＲＣエラーを生成することができ、また、パケットを処理するのをやめることができ、Ｌ−ＳＩＧの長さフィールドによって規定される時間の間延長することができる。ＨＥデバイスにこれがＨＥパケットであることを信号伝達するために、ＨＥ−ＳＩＧ１Ａ ４５７の少なくとも第１のシンボルは、ＱＢＰＳＫ変調されることができる。
【００７３】
[0082]  ＯＦＤＭＡ多元接続通信を確立するために必要な情報が、さまざまな場所で、ＨＥ−ＳＩＧフィールド４５５、４５７および４５９に位置されることができる。さまざまな実施形態では、ＨＥ−ＳＩＧ０ ４５５は、持続時間指示、（例えば２ビットであり得る）帯域幅指示、（例えば３ビットであり得る）ＢＳＳカラーＩＤ、（例えば１ビットのフラグであり得る）ＵＬ／ＤＬ指示、（例えば４ビットであり得る）周期的冗長検査（ＣＲＣ：cyclic redundancy check）、（例えば２ビットであり得る）クリア・チャネル・アセスメント（ＣＣＡ）指示、のうちの１つまたは複数を含むことができる。
【００７４】
[0083]  さまざまな実施形態では、ＨＥ−ＳＩＧ１Ａフィールド４５７は、ＯＦＤＭＡ動作に関わるトーン割当て情報を含むことができる。図７の例は、トーンの特定のサブバンドおよび特定の数のＭＩＭＯ空間時間ストリームに各々割り当てられることを、４個の異なるユーザに可能にすることができる。さまざまな実施形態では、１２ビットの空間時間ストリーム情報は、１乃至８個のストリームが各１つに割り当てられることができるように、４個のユーザの各々に対して３ビットを可能にする。変調タイプ・データの１６ビットは、４個のユーザの各々に対して４ビットを可能にし、４個のユーザの各々に対して、１６個の異なる変調スキーム（１６ＱＡＭ、６４ＱＡＭなど）のうちのいずれか１の割り当てを可能にする。トーン割当てデータの１２ビットは、４個のユーザの各々に割り当てられることを特定のサブバンドに可能にする。
【００７５】
[0084]  サブバンド（本書ではサブチャネルとも呼ばれる）割当てに関わるＳＩＧフィールド・スキームの一例は、４個のユーザの各々にサブバンド・トーンを割り当てるために、１０ビットの情報、および、６ビットのグループＩＤフィールドを含む。パケットを搬送するために使用される帯域幅は、何らかの数のＭＨｚの倍数でＳＴＡに割り当てられることができる。例えば、帯域幅は、Ｂ ＭＨｚの倍数で、ＳＴＡに割り当てられることができる。Ｂの値は、例えば１、２、５、１０、１５、または２０ＭＨｚの値であることができる。Ｂの値は、２ビットの割当て粒度フィールド（allocation granularity field）によって提供されることができる。例えば、ＨＥ−ＳＩＧ１Ａ ４５７は、１つの２ビット・フィールドを含むことができ、それは、Ｂの４つの見込まれる値を可能にする。例えば、Ｂの値は、割当て粒度フィールドにおける０−３の値に対応して、５、１０、１５、または２０ＭＨｚであることができる。いくつかの態様では、ｋビットのフィールドは、０乃至Ｎの数を規定するＢの値を信号伝達するために使用されることができ、ここにおいて０は最も柔軟でないオプション（最大の粒度）を示し、Ｎの高い値は、最も柔軟であるオプション（最小の粒度）を示す。各Ｂ ＭＨｚ部分は、サブバンドと呼ばれることができる。
【００７６】
[0085]  ＨＥ−ＳＩＧ１Ａ ４５７はさらに、各ＳＴＡに割り当てられたサブバンドの数を示すためにユーザごとに２ビットを使用することができる。このことは、０乃至３個のサブバンドが各ユーザに割り当てられることを可能にすることができる。グループｉｄ（Ｇ＿ＩＤ）は、ＳＴＡを特定するために使用されることができ、それは、ＯＦＤＭＡパケットにおいてデータを受信することができる。この６ビットのＧ＿ＩＤは、この例では、特定のオーダで、４個までのＳＴＡを特定することができる。
【００７７】
[0086]  ＨＥ−ＳＩＧシンボルの後に送られるデータ、およびトレーニング・フィールドは、各ＳＴＡに、割り当てられたトーンにしたがってＡＰによって搬送されることができる。この情報は、潜在的にビーム・フォーミングされることができる。この情報をビーム・フォーミングすることは、特定の利点を有することができ、たとえば、より正確な復号、および／またはビーム・フォーミングされていない送信より多くの範囲を提供することを可能にすることができる。
【００７８】
[0087]  各ユーザに割り当てられた空間時間ストリームに依存して、異なるユーザが異なる数のＨＥ−ＬＴＦ４６５を使用することができる。各ＳＴＡは、そのＳＴＡが割り当てられている各空間ストリームに対するチャネル推定を可能にする複数のＨＥ−ＬＴＦ４６５を使用することができ、それは概して、空間ストリームの数より多いか、同じであることができる。ＬＴＦはまた、周波数オフセット推定および時間同期のために使用されることができる。異なるＳＴＡは異なる数のＨＥ−ＬＴＦを受信することができるので、いくつかのトーンにおけるＨＥ−ＬＴＦ情報および他のトーンにおけるデータを含むシンボルが、ＡＰ１０４（図１）から送信されることができる。
【００７９】
[0088]  いくつかの態様では、同じＯＦＤＭシンボルにおいてＨＥ−ＬＴＦ情報およびデータの両方を送ることが問題となり得る。例えば、このことは、ピーク対平均電力比（ＰＡＰＲ）を過度に高いレベルにまで増大させることができる。かくして、各ＳＴＡが少なくとも必要な数のＨＥ−ＬＴＦ４６５を受信するまですべてのトーンの送信されたシンボルにおいてＨＥ−ＬＴＦ４６５を送信することは、かえって有効となり得る。例えば、各ＳＴＡは、ＳＴＡに関連付けされた空間ストリームごとに１個のＨＥ−ＬＴＦ４６５を受信する必要があり得る。かくして、ＡＰは、任意のＳＴＡに割り当てられた最大数の空間ストリームと等しい数のＨＥ−ＬＴＦ４６５を各ＳＴＡに送信するように構成されることができる。例えば、３個のＳＴＡには単一の空間ストリームが割り当てられ、しかし４番目のＳＴＡには３個の空間ストリームが割り当てられる場合、この態様では、ＡＰは、ペイロード・データを含むシンボルを送信する前に、４個のＳＴＡの各々にＨＥ−ＬＴＦ情報の４個のシンボルを送信するように構成されることができる。
【００８０】
[0089]  任意の所定のＳＴＡに割り当てられるトーンが隣接している必要はない。例えば、いくつかのインプリメンテーションでは、受信する異なるＳＴＡのサブバンドがインターリーブされることができる。例えば、ユーザ１およびユーザ２の各々が３個のサブバンドを受信する場合、ユーザ４が２個のサブバンドを受信する一方で、これらのサブバンドは全ＡＰ帯域幅にわたってインターリーブされることができる。例えば、これらのサブバンドは、例えば１、２、４、１、２、４、１、２のオーダでインターリーブされることができる。いくつかの態様では、サブバンドをインターリーブすることの他の方法もまた、使用されることができる。いくつかの態様では、サブバンドをインターリーブすることは、特定のサブバンドにおいて特定のデバイスからの受信障害（poor reception）の影響または干渉の弊害を減じることができる。いくつかの態様では、ＡＰは、ＳＴＡが好むサブバンドにおけるＳＴＡに送信することができる。例えば、特定のＳＴＡは、いくつのサブバンドにおいて、他のサブバンドにおいてより良好な受信状態を有することができる。かくして、ＡＰは、ＳＴＡがより良好な受信状態を有することができるサブバンドに少なくとも部分的に基づいて、ＳＴＡに送信することができる。いくつかの態様では、サブバンドはまた、インターリーブされることができない。例えば、サブバンドは、代わって、１、１、１、２、２、２、４、４、のように送信されることができる。いくつかの態様では、サブバンドがインターリーブされるか否かが事前に規定されることができる。
【００８１】
[0090]  図７の例では、ＨＥ−ＳＩＧ０ ４５５シンボル変調は、パケットがＨＥパケットであることをＨＥデバイスに信号伝達するために使用されることができる。パケットがＨＥパケットであることをＨＥデバイスに信号伝達することの他の方法もまた使用されることができる。図７の例では、Ｌ−ＳＩＧ４２６は、ＨＥプリアンブルがレガシ・プリアンブルに後続することができることを、ＨＥデバイスに指示する情報を含むことができる。例えば、Ｌ−ＳＩＧ４２６は、低エネルギー、すなわち、Ｑレールにおける１ビット・コード（1-bit code on the Q-rail）を含むことができ、それは、Ｌ−ＳＩＧ４２６の間にＱシグナルに影響を受けるＨＥデバイスに次のＨＥプリアンブルの存在を示す。単一のビット信号がパケットを送信するためにＡＰによって使用されるすべてのトーンにわたって拡散されることができるので、非常に低振幅のＱシグナルが使用されることができる。このコードは、ＨＥプリアンブル／パケットの存在を検出するために、高効率のデバイスによって使用されることができる。レガシ・デバイスのＬ−ＳＩＧ４２６検出感度は、Ｑレールにおけるこの低エネルギー・コードによって大いに影響される必要はない。かくして、これらのデバイスは、Ｌ−ＳＩＧ４２６を読み取ることが可能であり得、コードの存在に気づくことができず、一方で、ＨＥデバイスは、コードの存在を検出することが可能であり得る。このインプリメンテーションでは、ＨＥ−ＳＩＧフィールドのすべてが、必要であればＢＰＳＫ変調されることができ、本書で説明されるレガシ互換性に関わるいずれの技術もこのＬ−ＳＩＧ信号伝達と同時に使用されることができる。
【００８２】
[0091]  さまざまな実施形態では、任意のＨＥ−ＳＩＧフィールド４５５乃至４５９は、各多重化されたユーザに対してユーザ固有の変調タイプを規定するビットを含むことができる。例えば、選択的なＨＥ−ＳＩＧ１Ｂ ４５９フィールドは、各多重化されたユーザに対してユーザ固有の変調タイプを規定するビットを含むことができる。
【００８３】
[0092]  いくつかの態様では、ワイヤレス信号は、例えば８０２．１１ａｘプロトコルにしたがって、低速（ＬＲ：low-rate）モードで送信されることができる。特に、いくつかの実施形態では、ＡＰ１０４は、ＳＴＡ１０６と比較してより優れた送信電力総力（transmit power capability）を有することができる。いくつかの実施形態では、例えば、ＳＴＡ１０６は、ＡＰ１０４より低いいくつかのｄＢで送信することができる。かくして、ＡＰ１０４からＳＴＡ１０６へのＤＬ通信は、ＳＴＡ１０６からＡＰ１０４へのＵＬ通信より大きい範囲を有することができる。リンク予算（link budget）を閉じる（close）ために、ＬＲモードが使用されることができる。いくつかの実施形態では、ＬＲモードは、ＤＬおよびＵＬ通信の両方で使用されることができる。他の実施形態では、ＬＲモードは、ＵＬ通信のためにのみ使用される。
【００８４】
[0093]  いくつかの実施形態では、ＨＥＷ ＳＴＡ１０６は、レガシＳＴＡの持続時間の４倍のシンボル持続時間を使用して通信することができる。したがって、送信される各シンボルは、持続時間の４倍の長さ（four times as long in duration）であり得る。より長いシンボル持続時間を使用する場合、個別のトーンの各々は、送信される帯域幅の１／４を必要とするのみであり得る。例えば、さまざまな実施形態では、１ｘシンボル持続時間は、４ｍｓであることができ、４ｘシンボル持続時間は、１６ｍｓであることができる。かくして、さまざまな実施形態では、１ｘシンボルは本書ではレガシ・シンボルと呼ばれることができ、４ｘシンボルはＨＥＷシンボルと呼ばれることができる。他の実施形態では、異なる持続時間が可能である。
【００８５】
[0094]  いくつかの実施形態では、レガシ・デバイスは、３で割り切れる長さフィールドを有するＬ−ＳＩＧフィールドに制約されることができる。たとえば、再び図６を参照すると、Ｌ−ＳＩＧ４２６は、３で割り切れる長さフィールドを含むことができ、それはまた、３の倍数とも説明されることができ、または、長さモジュロ（length modulo）３は０に等しい。いくつかの実施形態では、ＨＥＷデバイスは、ＨＥＷパケットを示すために３で割り切れない長さを有するＬ−ＳＩＧフィールドを使用することができる。例えば、長さ指示、モジュロ３、は、１または２に等しくあることができる。さまざまな実施形態では、Ｌ−ＳＩＧ長さ指示の係数（modulus）は、１つまたは複数の後のシンボルに関わるガード・インターバル（ＧＩ）モード、またはＨＥ−ＬＴＦ圧縮モード、のうちの１つまたは複数を示すことができる。
【００８６】
[0095]  図８は、ワイヤレス通信を可能にするために使用されることができるアップリンクまたはダウンリンク物理レイヤ・パケット８００の例示的な構造を例示する。図示されている実施形態では、物理レイヤ・パケット８００は、Ｌ−ＳＴＦ４２２、Ｌ−ＬＴＦ４２６およびＬ−ＳＩＧ８０５を含むレガシ・プリアンブル８０５を含み、ＨＥ−ＳＩＧ０ ８１５およびＨＥ−ＳＩＧ１ ８２０を含むＨＥプリアンブル８１０、およびペイロード８３０を含む。当業者は、図示されている物理レイヤ・パケット８００が追加のフィールドを含むことができること、フィールドが再配置、移動、および／またはサイズ変更されることができること、フィールドのコンテンツが変わったことを、理解するだろう。例えば、さまざまな実施形態では、ＨＥプリアンブル８１０は、ＨＥ−ＳＴＦ、ＨＥ−ＬＴＦ、１つまたは複数の追加のＨＥ−ＳＩＧ１ フィールド、１つまたは複数の反復フィールドなど、のうちの１つまたは複数をさらに含むことができる。
【００８７】
[0096]  本開示の特定の態様は、同じＰＰＤＵにおける周波数ドメインにおいてＭＵ−ＭＩＭＯおよびＯＦＤＭＡ技術のミキシングをサポートする。いくつかの実施形態では、ＰＰＤＵ帯域幅の第１の部分は、少なくともＭＵ−ＭＩＭＯ送信およびＯＦＤＭＡ送信のうちの１つとして送信されることができる。ＰＰＤＵ帯域幅の第２の部分は、少なくともＭＵ−ＭＩＭＯ送信およびＯＦＤＭＡ送信のうちの１つとして送信されることができる。さまざまな実施形態では、各部分は「ゾーン（zone）」と呼ばれることができる。かくして、さまざまな実施形態では、第１および第２の部分は、ＭＵ−ＭＩＭＯ／ＯＦＤＭＡ、ＭＵ−ＭＩＭＯ／ＭＵ−ＭＩＭＯ、ＯＦＤＭＡ／ＯＦＤＭＡ、およびＯＦＤＭＡ／ＯＦＤＭＡのような任意の組合せを含むことができる。
【００８８】
[0097]  いくつかの実施形態では、ＰＰＤＵ帯域幅は、２つ以上の部分またはゾーンを含むことができる。いくつかの実施形態では、ＰＰＤＵ帯域幅は、単独のゾーンまたは最大２つのゾーンに制限されることができる。これらの実施形態では、ＭＵ−ＭＩＭＯまたはＯＦＤＭＡ送信は、ＡＰから複数のＳＴＡへ同時に送られることができ、ワイヤレス通信における効率を付与することができる。
【００８９】
[0098]  さまざまな実施形態では、Ｌ−ＳＴＦ４２２、Ｌ−ＬＴＦ４２６およびＬ−ＳＩＧ４２６の各々は、２０ＭＨｚを使用して送信されることができ、多数のコピーが、ＡＰ１０４（図１）が使用する各２０ＭＨｚのスペクトルに対して送信されることができる。ＨＥ−ＳＩＧ０ ８１５、ＨＥ−ＳＴＦ８２０、ＨＥ−ＳＴＦ、ＨＥ−ＬＴＦ、ＨＥ−ＳＩＧ１ ８２０およびペイロード８３０の任意の組合せが、１つまたは複数のＯＦＤＭＡユーザの各々に対して送信されることができる。例えば、２つのユーザは、図示されている４０ＭＨｚの帯域幅を共有することができ、４０ＭＨｚの帯域幅の一部は割り当てられていない状態であることができる。
【００９０】
[0099]  パケット８００は本書では単一のパケットと呼ばれているが、さまざまな実施形態では、各ゾーンに関連付けされた、または代わって各ユーザに関連付けされた送信は、別個のパケットと呼ばれることができる。パケット８００がＵＬおよびＤＬ送信のために使用されることができるが、ＵＬ送信が、本書でより詳細に論じられるだろう。当業者は、ＳＴＡ１０６からＡＰ１０４へのＵＬ送信に関わる議論がＡＰ１０４からＳＴＡ１０６へのＤＬ送信にも適用されることができることを理解するだろう。
【００９１】
[0100]  図示されている実施形態では、パケット８００は、１ｘシンボル持続時間を使用する。他の実施形態では、４ｘシンボル持続時間は、例えばＨＥプリアンブル８１０および／またはペイロード８３０の任意の部分のような、パケット８００の少なくとも一部分のために使用されることができる。図示されている実施形態において、Ｌ−ＳＴＦ４２２は８μｓ（すなわち２個の１ｘシンボル）の長さ、Ｌ−ＬＴＦ４２４は８μｓ（すなわち２個の１ｘシンボル）の長さ、Ｌ−ＳＩＧ４２６は４μｓ（すなわち１個の１ｘシンボル）の長さ、ＨＥ−ＳＩＧ０ ８１５は４μｓ（例えば１個の１ｘシンボル）の長さ、およびＨＥ−ＳＩＧ１ ８２０は４μｓ（すなわち１個の１ｘシンボル）の長さである。さまざまな実施形態では、ＨＥ−ＳＴＦは、４μｓ（すなわち１個の１ｘシンボル）の長さから８μｓ（すなわち２個の１ｘシンボル）の長さであることができ、ＨＥ−ＬＴＦは、変更可能な長さであることができ、それは、ペイロード８３０の送信のために使用される空間ストリームの数（ＮＳＳ）に依存することができる。
【００９２】
Ｌ−ＳＩＧ長さフィールド
[0101]  いくつかの実施形態では、Ｌ−ＳＩＧフィールド８０５は、長さ指示を含むことができる。前述のように、ＨＥＷデバイスは、パケット８００がＨＥＷパケットであることを指示するために３で割り切れない値にＬ−ＳＩＧ８０５長さ指示を設定することができる。例えば、Ｌ−ＳＩＧ８０５長さ指示は、長さ、すなわちモジュロ３（length, modulo 3）（「ＬＭ３」と本書では呼ばれる）が１または２に等しくなるように設定されることができる。いくつかの実施形態では、ＨＥＷデバイス、例えば、ＳＴＡ１０６またはＡＰ１０４は、パケット８００をパッドする（pad）ことができ、または別の方法では、Ｌ−ＳＩＧ８０５の長さ指示に一致させるように、パケットの長さを調整することができる。
【００９３】
[0102]  一実施形態では、Ｌ−ＳＩＧ８０５長さ指示の値、すなわちモジュロ３は、１つまたは複数のより遅いシンボルに関してガード・インターバル（ＧＩ）モードを指示することができる。例えば、一実施形態では、ＡＰ１０４は、次のシンボルがショート・ガード・インターバル（例えば０．４μｓ）を使用することを示すために、ＬＭ３を１に設定することができる。ＡＰ１０４は、次のシンボルがロング・ガード・インターバル（例えば０．８μｓ）を使用することを示すために、ＬＭ３を２に設定することができる。
【００９４】
[0103]  他の実施形態では、逆が当てはまる可能性がある。かくして、ＡＰ１０４は、次のシンボルがショート・ガード・インターバル（例えば０．４μｓ）を使用することを示すために、ＬＭ３を２に設定することができる。ＡＰ１０４は、次のシンボルがロング・ガード・インターバル（例えば０．８μｓ）を使用することを示すために、ＬＭ３を１に設定することができる。
【００９５】
[0104]  他の実施形態では、ＬＭ３は、３つの異なるガード・インターバル、例えばショート・ガード・インターバル、ミディアム・ガード・インターバル、およびロング・ガード・インターバルのうちの１つを指示することができる（ここにおいて、ショート・ガード・インターバルはミディアム・ガード・インターバルより短く、ミディアム・ガード・インターバルはロング・ガード・インターバルより短い）。ショート、ミディアム、および／またはロング・ガード・インターバル指示は、プリセットの、または動的に決定されたガード・インターバル長に対応することができる。例として、ＬＭ３＝０は、ショート・ガード・インターバル長を指示することができ、ＬＭ３＝１は、ミディアム・ガード・インターバル長を指示することができ、ＬＭ３＝２は、ロング・ガード・インターバル長を指示することができる。しかしながら、このような例は単なる実例であり、ＬＭ３からガード・インターバル指示への任意のマッピングが使用されることができる。
【００９６】
[0105]  さまざまな実施形態では、ＬＭ３を介して指示されるＧＩモードは、Ｌ−ＳＩＧ８０５のすぐ後に開始することができる。例えば、ＬＭ３を介して指示されるＧＩモードは、ＨＥ−ＳＩＧ０フィールド８１５で開始することができる。いくつかの実施形態では、ＬＭ３を介して指示されるＧＩモードは、Ｌ−ＳＩＧ８０５の後にプリセットの数のシンボル、例えばＬ−ＳＩＧ８０５の後に１シンボル、を開始することができる。ＧＩモード、例えばＬ−ＳＩＧ８０５の後の１シンボル、を設定することは、ハードウェア・バタフライが新しいＧＩモードに適合することを可能にすることができる。かくして、いくつかの実施形態では、ＬＭ３を介して指示されるＧＩモードは、ＨＥ−ＳＩＧ１フィールド８２０で開始することができる。
【００９７】
[0106]  いくつかの実施形態では、１つまたは複数の次のフィールドが、例えばＨＥ−ＳＩＧ０フィールド８１５またはＨＥ−ＳＩＧ１フィールド８２０のような周波数サブキャリア（トーン）で、または同じ調子で（in time）、反復されることができる。ＬＭ３は、特定の次のフィールドがパケット８００において反復されるか否かを指示することができる。例えば、ＬＭ３＝１は、ＨＥ−ＳＩＧ０フィールド８１５が反復されないことを指示することができ、ＬＭ３＝２は、ＨＥ−ＳＩＧ０フィールド８１５が反復されることを指示することができる（または、他の実施形態では逆もまた同様である）。ＬＭ３は、３個の反復オプションのうち１つを指示することができる。例えば、ＬＭ３＝０は、次のフィールドが反復されないことを指示することができ、ＬＭ３＝１は、ＨＷ−ＳＩＧ０フィールド８１５が反復されることを指示することができ、ＬＭ３＝２は、ＨＥ−ＳＩＧ１フィールド８２０が反復されることを指示することができる。
【００９８】
[0107]  いくつかの実施形態では、１つまたは複数の次のシンボルは、例えばショートまたはロング・ガード・インターバルのような１つ以上のＧＩオプションを有することができる。ＬＭ３は、いくつかの次のシンボルが１つ以上のＧＩオプションを有するか否かを指示することができる。例えば、ＬＭ３＝１は、１つまたは複数の次のシンボルが多数のＧＩオプションを有することを指示することができ、ＬＭ３＝２は、次のシンボルがただ１つのＧＩオプションを有することを指示することができる（または、他の実施形態では逆もまた同様である）。ＬＭ３は、３個のＧＩオプションのうち１つを指示することができる。例えば、ＬＭ３＝０は、次のフィールドがただ１つのＧＩオプションを有することを指示することができ、ＬＭ３＝１は、いくつかの次のフィールドが２つのＧＩオプションを有することを指示することができ、ＬＭ３＝２は、いくつかの次のフィールドが３つのＧＩオプションを有することを指示することができる。
【００９９】
[0108]  いくつかの実施形態では、１つまたは複数の次のシンボルは、１つ以上のＭＣＳオプションを有することができる。ＬＭ３は、いくつかの次のシンボルが１つ以上のＭＣＳオプションを有するか否かを指示することができる。例えば、ＬＭ３＝１は、１つまたは複数の次のシンボルが多数のＭＣＳオプションを有することを指示することができ、ＬＭ３＝２は、次のシンボルがただ１つのＭＣＳオプションを有することを指示することができる（または、他の実施形態は逆もまた同様である）。ＬＭ３は、３個のＭＣＳオプションのうち１つを指示することができる。例えば、ＬＭ３＝０は、次のフィールドがただ１つのＭＣＳオプションを有することを指示することができ、ＬＭ３＝１は、いくつかの次のフィールドが２つのＭＣＳオプションを有することを指示することができ、ＬＭ３＝２は、いくつかの次のフィールドが３つのＭＣＳオプションを有することを指示することができる。
【０１００】
[0109]  いくつかの実施形態では、ＬＭ３は、ＨＥ−ＳＩＧ０ ８１５および／またはＨＥ−ＳＩＧ１ ８２０に関わる特定のＭＣＳを指示することができる。例えば、ＬＭ３＝１は、１つまたは複数の次のシンボルがＭＣＳ０を使用することを指示することができ、ＬＭ３＝２は、次のシンボルがＭＣＳ１を使用することを指示することができる（または、他の実施形態では逆もまた同様である）。ＬＭ３は、３個のＭＣＳオプションのうち１つを指示することができる。例えば、ＬＭ３＝０は、次のフィールドがＭＣＳ０を使用することを指示することができ、ＬＭ３＝１は、いくつかの次のフィールドがＭＣＳ１を使用することを指示することができ、ＬＭ３＝２は、いくつかの次のフィールドがＭＣＳ２を使用することを指示することができる。上記の例は例示的なものであるが、異なるＬＭ３の値が、任意の特定のプリセットの、または動的に決定されたＭＣＳに対応することができる。
【０１０１】
[0110]  いくつかの実施形態では、１つまたは複数の次のシンボルは、より低い信号対妨害比（ＳＩＮＲ：signal-to-interference-plus-noise ratio）を選択的にサポートすることができる。より低いＳＩＮＲは、パケット８００における他のシンボルのＳＩＮＲより低くなることができる。ＬＭ３は、いくつかの次のシンボルがより低いＳＩＮＲをサポートするか否かを指示することができる。例えば、ＬＭ３＝１は、１つまたは複数の次のシンボルがより低いＳＩＮＲをサポートすることを指示することができ、ＬＭ３＝２は、次のシンボルがより低いＳＩＮＲをサポートしないことを指示ことができる（または、他の実施形態では逆もまた同様である）。ＬＭ３は、３個のＳＩＮＲサポート・オプションのうち１つを指示することができる。例えば、ＬＭ３＝０は、次のフィールドがより低いＳＩＮＲをサポートしないことを指示することができ、ＬＭ３＝１は、いくつかの次のフィールドがより低いＳＩＮＲをサポートすることを指示することができ、ＬＭ３＝２は、いくつかの次のフィールドが２つ以上のＳＩＮＲオプションをサポートすることを指示することができる。
【０１０２】
[0111]  いくつかの実施形態では、１つまたは複数の次のフィールドは、多数の圧縮モードを選択的にサポートすることができる。ＬＭ３は、いくつかの次のシンボルがより低いＳＩＮＲをサポートするか否かを指示することができる。例えば、ＬＭ３＝１は、１つまたは複数の次のフィールドが多数の圧縮モードをサポートすることを指示することができ、ＬＭ３＝２は、次のフィールドが多数の圧縮モードをサポートしないことを指示することができる（または、他の実施形態では逆もまた同様である）。ＬＭ３は、例えば、ＨＥ−ＬＴＦフィールドのような特定のフィールドに関わる圧縮モードを指示することができる。例えば、ＬＭ３＝１は、ＨＥ−ＬＴＦフィールドが第１の圧縮モードを使用することを指示することができ、ＬＭ３＝２は、ＨＥ−ＬＴＦフィールドが第１の圧縮モードを使用することを指示することができる（または、他の実施形態では逆もまた同様である）。ＬＭ３は、３個の圧縮モード・オプションのうち１つを指示することができる。例えば、ＬＭ３＝０は、ＨＥ−ＬＴＦフィールドが第１の圧縮モードを使用することを指示することができ、ＬＭ３＝１は、ＨＥ−ＬＴＦフィールドが第２の圧縮モードを使用することを指示することができ、ＬＭ３＝２は、ＨＥ−ＬＴＦフィールドが第３の圧縮モードを使用することを指示することができる。
【０１０３】
[00112]  図９は、ワイヤレス通信を可能にするために使用されることができるアップリンクまたはダウンリンク物理レイヤ・パケット９００の別の例示的な構造を例示する。図示されている実施形態では、物理レイヤ・パケット９００は、Ｌ−ＳＴＦ４２２、Ｌ−ＬＴＦ４２６、およびＬ−ＳＩＧ８０５を含むレガシ・プリアンブル８０５と、反復Ｌ−ＳＩＧ９１０と、ＨＥ−ＳＩＧ０ ８１５およびＨＥ−ＳＩＧ１ ８２０を含むＨＥプリアンブル８１０と、ペイロード８３０とを含む。当業者は、図示されている物理レイヤ・パケット９００が追加のフィールドを含むことができること、フィールドが再配置、移動、および／またはサイズ変更されることができること、およびフィールドのコンテンツが変わったことを、理解するだろう。例えば、さまざまな実施形態では、ＨＥプリアンブル８１０は、ＨＥ−ＳＴＦ、ＨＥ−ＬＴＦ、１つまたは複数の追加のＨＥ−ＳＩＧ１フィールド、１つまたは複数の反復フィールドなどをさらに含むことができる。
【０１０４】
[00113]  本開示の特定の態様は、同じＰＰＤＵにおける周波数ドメインにおいてＭＵ−ＭＩＭＯおよびＯＦＤＭＡ技術をミキシングすることをサポートする。いくつかの実施形態では、ＰＰＤＵ帯域幅の第１の部分は、少なくともＭＵ−ＭＩＭＯ送信およびＯＦＤＭＡ送信のうちの１つとして送信されることができる。ＰＰＤＵ帯域幅の第２の部分は、少なくともＭＵ−ＭＩＭＯ送信およびＯＦＤＭＡ送信のうちの１つとして送信されることができる。さまざまな実施形態では、各部分は「ゾーン」と呼ばれることができる。かくして、さまざまな実施形態では、第１および第２の部分は、ＭＵ−ＭＩＭＯ／ＯＦＤＭＡ、ＭＵ−ＭＩＭＯ／ＭＵ−ＭＩＭＯ、ＯＦＤＭＡ／ＯＦＤＭＡ、およびＯＦＤＭＡ／ＯＦＤＭＡのような任意の組合せを含むことができる。
【０１０５】
[00114]  いくつかの実施形態では、ＰＰＤＵ帯域幅は、２つ以上の部分またはゾーンを含むことができる。いくつかの実施形態では、ＰＰＤＵ帯域幅は、単独のゾーンまたは最大２つのゾーンに制限されることができる。これらの実施形態では、ＭＵ−ＭＩＭＯまたはＯＦＤＭＡ送信は、ＡＰから複数のＳＴＡへ同時に送られることができ、ワイヤレス通信における効率を付与することができる。
【０１０６】
[00115]  さまざまな実施形態では、Ｌ−ＳＴＦ４２２、Ｌ−ＬＴＦ４２６およびＬ−ＳＩＧ４２６の各々は、２０ＭＨｚを使用して送信されることができ、多数のコピーが、ＡＰ１０４（図１）が使用する各２０ＭＨｚのスペクトルに対して送信されることができる。ＨＥ−ＳＩＧ０ ８１５、ＨＥ−ＳＴＦ８２０、ＨＥ−ＳＴＦ、ＨＥ−ＬＴＦ、ＨＥ−ＳＩＧ１ ８２０およびペイロード８３０の任意の組合せが、１つまたは複数のＯＦＤＭＡユーザの各々に対して送信されることができる。例えば、２つのユーザは、図示されている４０ＭＨｚの帯域幅を共有することができ、４０ＭＨｚの帯域幅の一部は割り当てられていない状態であることができる。
【０１０７】
[00116]  パケット９００が本書では単一のパケットと呼ばれているが、さまざまな実施形態では、各ゾーンに関連付けされた、または代わって各ユーザに関連付けされた送信は、別個のパケットと呼ばれることができる。パケット９００がＵＬおよびＤＬ送信のために使用されることができるが、ＵＬ送信が、本書ではより詳細に論じられるだろう。当業者は、ＳＴＡ１０６からＡＰ１０４へのＵＬ送信に関わる議論がＡＰ１０４からＳＴＡ１０６へのＤＬ送信にも適用されることができることを理解するだろう。
【０１０８】
[0117]  図示されている実施形態では、パケット９００は、１ｘシンボル持続時間を使用する。他の実施形態では、４ｘシンボル持続時間は、例えばＨＥプリアンブル８１０および／またはペイロード８３０の任意の部分のような、パケット９００の少なくとも一部分のために使用されることができる。図示されている実施形態において、Ｌ−ＳＴＦ４２２は８μｓ（すなわち２個の１ｘシンボル）の長さ、Ｌ−ＬＴＦ４２４は８μｓ（すなわち２個の１ｘシンボル）の長さ、Ｌ−ＳＩＧ４２６は４μｓ（すなわち１個の１ｘシンボル）の長さ、ＨＥ−ＳＩＧ０ ８１５は４μｓ（例えば１個の１ｘシンボル）の長さ、およびＨＥ−ＳＩＧ１ ８２０は４μｓ（すなわち１個の１ｘシンボル）の長さである。さまざまな実施形態では、ＨＥ−ＳＴＦは、４μｓ（すなわち１個の１ｘシンボル）の長さから８μｓ（すなわち２個の１ｘシンボル）の長さであることができ、ＨＥ−ＬＴＦは、変更可能な長さであることができ、それは、ペイロード８３０の送信のために使用される空間ストリームの数（ＮＳＳ）に依存することができる。
【０１０９】
[0118]  図９に示されているように、Ｌ−ＳＩＧフィールド８０５は、反復Ｌ−ＳＩＧフィールド９１０（ＲＬ−ＳＩＧ）として反復される。さまざまな実施形態では、Ｌ−ＳＩＧ８０５は、同じ調子で、または周波数サブキャリア（トーン）で反復されることができる。反復Ｌ−ＳＩＧフィールド９１０は、Ｌ−ＳＩＧフィールド８０５の同じ長さ指示を含むことができる。かくして、前述のように、ＨＥＷデバイスは、パケット８００がＨＥＷパケットであることを指示するために３で割り切れない値に反復Ｌ−ＳＩＧ９１０長さ指示を設定することができる。
【０１１０】
[0119]  さまざまな実施形態では、ＬＭ３を介して指示されるＧＩモードは、Ｌ−ＳＩＧ８０５のすぐ後に開始することができる。例えば、ＬＭ３を介して指示されるＧＩモードは、反復Ｌ−ＳＩＧ９１０で開始することができる。いくつかの実施形態では、ＬＭ３を介して指示されるＧＩモードは、Ｌ−ＳＩＧ８０５の後のシンボルにプリセットの数のシンボル、例えばＬ−ＳＩＧ８０５の後に１シンボル、を開始することができる。ＧＩモード、例えばＬ−ＳＩＧ８０５の後に１シンボル、を設定することは、ハードウェア・バタフライが新しいＧＩモードに適合することを可能にすることができる。かくして、いくつかの例では、ＬＭ３を介して指示されるＧＩモードは、ＨＥ−ＳＩＧ０フィールド８１５で開始することができる。他の実施形態では、ＬＭ３を介して指示されるＧＩモードは、反復Ｌ−ＳＩＧ９１０のすぐ後に開始することができ、または、反復Ｌ−ＳＩＧ９１０の後にプリセットの数のシンボル（例えば１個のシンボル）を開始することができる。
【０１１１】
[0120]  図示されている実施形態では、ＲＬ−ＳＩＧ９１０は、Ｌ−ＳＩＧフィールド８０５のすべての、または部分的な反復を含む。例えば、一実施形態では、ＲＬ−ＳＩＧ９１０は、Ｌ−ＳＩＧフィールド８０５の等しい（even）トーンの反復を含むことができる。一実施形態では、ＲＬ−ＳＩＧ９１０は、Ｌ−ＳＩＧフィールド８０５の不規則な（odd）トーンの反復を含むことができる。一実施形態では、ＲＬ−ＳＩＧ９１０は、Ｌ−ＳＩＧフィールド８０５のＸトーンごとの反復を含むことができ、ここにおいてＸは、ＲＬ−ＳＩＧ９１０に関わるシンボル持続時間に対する、Ｌ−ＳＩＧフィールド８０５に関わるシンボル持続時間の比率である。一実施形態では、ＨＥ−ＳＩＧ０ ８１５は、ガード・インターバル（ＧＩ）を加えた、４μｓである。
【０１１２】
[0121]  さまざまな実施形態では、ＳＴＡ１０６は、反復シンボルの極性においてＨＥ−ＳＩＧまたは他の情報をエンコードすることができる。例えば、１をエンコードするために、ＳＴＡ１０６は、−１をＬ−ＳＩＧフィールド８０５における反復ビットにかけることができ、０をエンコードするために、ＳＴＡ１０６は、１をＬ−ＳＩＧフィールド８０５における反復ビットにかけることができる、など。さまざまな実施形態では、正および負の反復極性が０および１をそれぞれ示すことができる。他の実施形態では、異なるエンコードが可能である。情報ビット［０、１］が、一実施形態では、変調ビット［１、−１］になることができることに留意されたい。かくして、シンボルの極性を変えることは、それに［０、１］に代わって±１をかけることを意味することができる。
【０１１３】
ＲＬ−ＳＩＧをマスキングすること
[0122]  ＲＬ−ＳＩＧフィールド９１０は、ＨＥＷ通信の早期検出を提供することに役立つことができる。例えば、パケット９００を受信するＳＴＡ１０６は、時間ドメインまたは周波数ドメイン自己相関によってＲＬ−ＳＩＧ９１０を動作させることができる。いくつかの実施形態では、しきい値を上回る自己相関は、ＨＥＷパケットとして解釈されることができる。したがって、ＨＥＷ ＳＴＡ１０６は、パケット９００を復号するのを続けることができ、一方で、非ＨＥＷ ＳＴＡは、パケット９００を復号するのをやめることができる。さらに、ＲＬ−ＳＩＧフィールド９１０は、Ｌ−ＳＩＧ８０５において情報を復号するための追加の好機を受信機に与えることができる。パケットが特定のＳＴＡに向けられない場合、ＳＴＡは、Ｌ−ＳＩＧ８０５またはＲＬ−ＳＩＧ９１０において規定される時間ピリオドの間任意の通信の試みを延期することができ、および、電力を節約するために、パケット期間の間スリープ・モードに入ることができる。
【０１１４】
[0123]  さまざまな実施形態では、ＲＬ−ＳＩＧ９１０は、Ｌ−ＳＩＧ８０５の正確な反復である。このような実施形態は、パケット検出におけるエラーを経験し得る。例えば、時間的にアラインされた（time-aligned）ＨＥＷパケットは、隣接した帯域において送信されることができる。このような実施形態では、（ＲＬ−ＳＩＧ９１０の持続時間に加えてＬ−ＳＩＧ８０５の持続時間に等しい周期性を有することができる）隣接したＨＥＷパケットからの漏れ（leakage）が、非常に強いためにパケット９００に関わる自己相関に干渉する可能性がある。別の例として、（例えば近くの電子機器からの）狭いバンドの偽の信号が、自己相関の質を低下させる可能性がある。したがって、いくつかの実施形態では、ＲＬ−ＳＩＧ９１０は、Ｌ−ＳＩＧ８０５の正確な反復ではない。
【０１１５】
[0124]  いくつかの実施形態では、ＲＬ−ＳＩＧ９１０の極性は、追加の情報を搬送しない。かわって、ＲＬ−ＳＩＧ９１０は、ＲＬ−ＳＩＧ９１０検出のロバスト性を改良するために、±１のシーケンスでマスキングされることができる。例えば、送信機は、±１のシーケンスを周波数ドメインにおけるＲＬ−ＳＩＧ９１０にかけることができる。例えば、乗算は、フィールド、シンボル、またはビット・レベルにおいて生じることができる。さまざまな実施形態では、シーケンスは、事前に決定されるか、動的に決定されるか、メモリから取り出されるか、交渉されるか、または別の方法では送信機および受信機の両方に知られていることができる。受信機は、プロセスを逆転させることができ、自己相関の前に±１のシーケンスを、受信されたＳＩＧ９１０にかける。したがって、早期検出への正弦波干渉の影響が減じられるか取り除かれることができる。
【０１１６】
[0125]  ＲＬ−ＳＩＧ９１０をマスキングすることが前述されているが、この方法は本書に論じられている任意の他のフィールドの反復にも適用されることができる。例えば、いくつかの実施形態では、ＨＥ−ＳＩＧ０ ８１５および／またはＨＥ−ＳＩＧ１ ８２０は、１回または複数回反復されることができる。このような反復は、±１のシーケンスで同様にマスキングされることができる。
【０１１７】
[00126]  図１０は、図１のワイヤレス通信システム１００内で用いられることができるワイヤレス通信の例示的な方法に関わるフローチャート１０００を示す。この方法は、図２に示されているワイヤレス・デバイス２０２のように、本書に説明されるデバイスによって全体的にまたは部分的にインプリメントされることができる。図示されている方法は、図１に関して上述されたワイヤレス通信システム１００、および図８乃至９に関して上述されたパケット８００および９００を参照して本書に説明されるが、当業者は、図示されている方法が、本書に説明される別のデバイス、または任意の他の適切なデバイス（例えばＳＴＡ１０６および／またはＡＰ１０４）によってインプリメントされることができることを、理解するだろう。図示されている方法は、さまざまな実施形態で、特定の順序に関して本書で説明されるが、本書のブロックは、異なる順序で実施される、または省略されることができ、および追加のブロックが加えられることができる。
【０１１８】
[00127]  最初に、ブロック１０１０において、ワイヤレス・デバイスがパケットを生成する。パケットは、第１のプリアンブル・フィールドを含む。例えば、ＡＰ１０４は、パケットとして図９のパケット９００を生成することができる。パケット９００は、第１のプリアンブル・フィールドとしてレガシ・プリアンブル８０５を含むことができる。
【０１１９】
[00128]  さまざまな実施形態では、第１のプリアンブル・フィールドは、複数のデバイスによって復号可能であることができ、パケットは、複数のデバイスのサブセットのみによって復号可能である第２のプリアンブル・フィールドを含むことができる。例えば、パケット９００は、第２のプリアンブルとしてＨＥプリアンブルを含むことができる。第２のプリアンブル・フィールドは、第２の信号フィールドとしてＨＥ−ＳＩＧ０フィールド８１５またはＨＥ−ＳＩＧ１ ８２０を含むことができる。
【０１２０】
[00129]  さまざまな実施形態では、第１のプリアンブル・フィールドは、３の倍数ではない長さ指示を含むことができる。例えば、Ｌ−ＳＩＧ８０５は、長さ、すなわちモジュロ３、が１または２に等しくなるように長さ指示を含むことができる。さまざまな実施形態では、長さ、すなわちモジュロ３、が、本書に論じられているように、１つまたは複数のワイヤレス通信パラメータを指示することができる。
【０１２１】
[00130]  さまざまな実施形態では、第１のプリアンブル・フィールドは、レガシ信号（Ｌ−ＳＩＧ）フィールドを含むことができ、レガシ・プリアンブルは、複数のデバイスによって復号可能であり、第１の反復プリアンブル・フィールドは、反復レガシ信号（ＲＬ−ＳＩＧ)フィールドを含むことができる。
【０１２２】
[00131]  次に、ブロック１０２０において、ワイヤレス・デバイスは、第１の周波数ドメイン極性シーケンスを第１のプリアンブル・フィールドにかけることによって第１の反復プリアンブル・フィールドを生成する。例えば、ＡＰ１０４は、第１の反復プリアンブル・フィールドとしてＲＬ−ＳＩＧ９１０を生成することができる。さまざまな実施形態では、第１の極性シーケンスは、−１または＋１の所定のシーケンスを含むことができる。
【０１２３】
[00132]  そして、ブロック１０３０において、ワイヤレス・デバイスがパケットを送信する。パケットは、第１のプリアンブル・フィールドと第１の反復プリアンブル・フィールドを含む。例えば、ＡＰ１０４は、１つまたは複数のＳＴＡ１０６にパケット９００を送信することができる。パケット９００は、Ｌ−ＳＩＧ８０５およびＲＬ−ＳＩＧ９１０を含むことができる。
【０１２４】
[00133]  さまざまな実施形態では、方法はさらに、第２の周波数ドメイン極性シーケンスを第２のプリアンブル・フィールドにかけることによって第２の反復プリアンブル・フィールドを生成することを含むことができる。パケットは、第２の反復プリアンブル・フィールドを含むことができる。例えば、第２の反復プリアンブル・フィールドは、ＨＥ−ＳＩＧ０ ８１５および／またはＨＥ−ＳＩＧ１ ９２０であることができ、−１または＋１の所定のシーケンスによってかけられ、パケット９００において反復されることができる。さまざまな実施形態では、第２の周波数ドメイン極性シーケンスは、第１の周波数ドメイン極性シーケンスと同じであることができる。他の実施形態では、第２の周波数ドメイン極性シーケンスは、第１の周波数ドメイン極性シーケンスと異なることができる。
【０１２５】
[00134]  一実施形態では、この方法は、パケットを、ワイヤレス・デバイスにおいて、生成することを含む。パケットは、レガシ信号（Ｌ−ＳＩＧ）フィールドを含むレガシ・プリアンブルを含み、レガシ・プリアンブルは、複数のデバイスによって復号可能である。パケットはさらに、複数のデバイスのサブセットのみによって復号可能である第２のプリアンブルを含む。第２のプリアンブルは、より新しいプロトコル、例えばＩＥＥＥ８０２．１１ａｘ高性能プロトコル、にしたがった通信のために規定され得、それは、特定のレガシ・システムにおいて使用されるプロトコルとは異なる。方法はさらに、周波数ドメインにおいて±１のシーケンスで第１のプリアンブル・フィールドを、マスキングすることによって反復Ｌ−ＳＩＧフィールド（ＲＬ−ＳＩＧ）を生成することを含む。方法はさらに、ワイヤレス・デバイスからパケットを送信することを含む。パケットは、Ｌ−ＳＩＧフィールドおよびＲＬ−ＳＩＧフィールドを含む。
【０１２６】
[00135]  一実施形態では、図１０に示されている方法は、生成回路および送信回路を含むことができるワイヤレス・デバイスにおいてインプリメントされることができる。当業者は、ワイヤレス・デバイスが、本書に説明される簡略化されたワイヤレス・デバイスよりも多くのコンポーネントを有することができることを理解するであろう。本書に説明されるワイヤレス・デバイスは、特許請求の範囲内のインプリメンテーションのいくつかの特徴を説明するために役立つコンポーネントを含む。
【０１２７】
[00136]  生成回路は、パケットを生成するように構成されることができる。いくつかの実施形態では、生成回路は、図１０のブロック１０１０または１０２０のうちの少なくとも１つを実施するように構成されることができる。生成回路は、プロセッサ２０４（図２）、メモリ２０６（図２）、およびＤＳＰ２２０（図２）のうちの１つまたは複数を含むことができる。いくつかのインプリメンテーションでは、生成するための手段は、生成回路を含むことができる。
【０１２８】
[00137]  送信回路は、パケットを送信するように構成されることができる。いくつかの実施形態では、送信回路は、少なくとも図１０のブロック１０３０を実施するように構成されることができる。送信回路は、送信機２１０（図２）、アンテナ２１６（図２）、およびトランシーバ２１４（図２）のうちの１つまたは複数を含むことができる。いくつかのインプリメンテーションでは、送信するための手段は、送信回路を含むことができる。
【０１２９】
[00138]  図１１は、図１のワイヤレス通信システム１００内で用いられることができるワイヤレス通信の例示的な方法に関わるフローチャート１１００を示す。この方法は、図２に示されているワイヤレス・デバイス２０２のように、本書に説明されるデバイスによって全体的にまたは部分的にインプリメントされることができる。図示されている方法は、図１に関して上述されたワイヤレス通信システム１００、および図８乃至９に関して上述されたパケット８００および９００を参照して本書に説明されるが、当業者は、図示されている方法が、本書に説明される別のデバイス、または任意の他の適切なデバイス（例えばＳＴＡ１０６および／またはＡＰ１０４）によってインプリメントされることができることを、理解するだろう。図示されている方法は、さまざまな実施形態で、特定の順序に関して本書で説明されるが、本書のブロックは、異なる順序で実施される、または省略されることができ、および追加のブロックが加えられることができる。
【０１３０】
[00139]  最初に、ブロック１１１０において、ワイヤレス・デバイスは、第１のプリアンブル・フィールドおよび第１の反復プリアンブル・フィールドを含むパケットを受信する。例えば、ＳＴＡ１０６は、パケットとして図９のパケット９００を受信することができる。パケット９００は、第１のプリアンブル・フィールドとしてレガシ・プリアンブル８０５を含み、第１の反復プリアンブル・フィールドとしてＲＬ−ＳＩＧ９１０を含むことができる。
【０１３１】
[00140]  さまざまな実施形態では、第１のプリアンブル・フィールドは、複数のデバイスによって復号可能であることができ、パケットは、複数のデバイスのサブセットのみによって復号可能である第２のプリアンブル・フィールドを含むことができる。例えば、パケット９００は、第２のプリアンブルとしてＨＥプリアンブル８１０を含むことができる。第２のプリアンブル・フィールドは、ＨＥ−ＳＩＧ０フィールド８１５またはＨＥ−ＳＩＧ１フィールド８２０を含むことができる。
【０１３２】
[00141]  さまざまな実施形態では、第１のプリアンブル・フィールドは、３の倍数ではない長さ指示を含むことができる。例えば、Ｌ−ＳＩＧ８０５は、長さ、すなわちモジュロ３、が１または２に等しくなるように長さ指示を含むことができる。さまざまな実施形態では、長さ、すなわちモジュロ３、が、本書に論じられているように、１つまたは複数のワイヤレス通信パラメータを指示することができる。
【０１３３】
[00142]  さまざまな実施形態では、第１のプリアンブル・フィールドは、レガシ信号（Ｌ−ＳＩＧ）フィールドを含むことができ、レガシ・プリアンブルは、複数のデバイスによって復号可能であり、第１の反復プリアンブル・フィールドは、反復レガシ信号（ＲＬ−ＳＩＧ)フィールドを含むことができる。
【０１３４】
[00143]  次に、ブロック１１２０において、ワイヤレス・デバイスは、第１の周波数ドメイン極性シーケンスを第１の反復プリアンブル・フィールドにかけることによって第１の修正プリアンブル・フィールドを生成する。例えば、ＳＴＡ１０６は、ＲＬ−ＳＩＧ９１０を生成するためにＡＰ１０４によって使用される−１または＋１の所定のシーケンスの逆数をＲＬ−ＳＩＧ９１０にかけることができる。かくして、ＳＴＡ１０６は、ＲＬ−ＳＩＧ９１０から最初のＬ−ＳＩＧ８０５を回復させることができる。
【０１３５】
[00144]  そして、ブロック１１３０において、ワイヤレス・デバイスは、第１のプリアンブル・フィールドおよび第１の修正プリアンブル・フィールドを自己相関する。例えば、ＳＴＡ１０６は、Ｌ−ＳＩＧ８０５およびＲＬ−ＳＩＧ９１０を自己相関することができる。
【０１３６】
[00145]  さまざまな実施形態では、方法はさらに、前述の自己相関の結果がしきい値を下回る場合にパケットを復号するのをやめることを含むことができる。例えば、ＳＴＡ１０６は、しきい値と自己相関の結果を比較することができる。結果がしきい値と等しいかこれを上回る場合、ＳＴＡ１０６は、パケット９００がＨＥＷパケットであることを決定し、パケットを復号し続けることができる。結果がしきい値を下回る場合、ＳＴＡ１０６は、パケット９００がＨＥＷパケットでないことを決定し、パケットを復号するのをやめることができる。例えば、ＳＴＡ１０６は、低電力モードに入ることができる。
【０１３７】
[00146]  さまざまな実施形態では、パケットは、第２の反復プリアンブル・フィールドを含むことができる。方法はさらに、第２の周波数ドメイン極性シーケンスを第２のプリアンブル・フィールドにかけることによって第２の修正プリアンブル・フィールドを生成することを含むことができる。例えば、第２の反復プリアンブル・フィールドは、ＨＥ−ＳＩＧ０ ８１５および／またはＨＥ−ＳＩＧ１ ９２０であることができ、ＡＰ１０４において−１または＋１の所定のシーケンスをかけられることができ、それは、ＳＴＡ１０６において−１または＋１の所定のシーケンスの逆数をかけられることができる。
【０１３８】
[00147]  一実施形態では、この方法は、パケットを、ワイヤレス・デバイスにおいて、受信することを含む。パケットは、レガシ信号（Ｌ−ＳＩＧ）フィールドを含むレガシ・プリアンブルを含み、レガシ・プリアンブルは、複数のデバイスによって復号可能である。パケットはさらに、反復Ｌ−ＳＩＧフィールド（ＲＬ−ＳＩＧ）を含む。パケットはさらに、複数のデバイスのサブセットのみによって復号可能である第２のプリアンブルを含む。方法はさらに、周波数ドメインにおける±１の逆シーケンスでＲＬ−ＳＩＧをマスキングすることによって修正Ｌ−ＳＩＧフィールドを生成することを含む。方法はさらに、Ｌ−ＳＩＧフィールドおよび修正Ｌ−ＳＩＧフィールドを自己相関することを含む。
【０１３９】
[00148]  一実施形態では、図１１に示されている方法は、受信回路、生成回路および自己相関回路を含むことができるワイヤレス・デバイスにおいてインプリメントされることができる。当業者は、ワイヤレス・デバイスが、本書に説明される簡略化されたワイヤレス・デバイスよりも多くのコンポーネントを有することができることを理解するであろう。本書に説明されるワイヤレス・デバイスは、特許請求の範囲内のインプリメンテーションのいくつかの特徴を説明するために役立つコンポーネントを含む。
【０１４０】
[00149]  受信回路は、パケットを受信するように構成されることができる。いくつかの実施形態では、受信回路は、少なくとも図１１のブロック１１１０を実施するように構成されることができる。受信回路は、受信機２１２（図２）、アンテナ２１６（図２）、およびトランシーバ２１４（図２）のうちの１つまたは複数を含むことができる。いくつかのインプリメンテーションでは、受信するための手段は、受信回路を含むことができる。
【０１４１】
[00150]  生成回路は、修正プリアンブル・フィールドを生成するように構成されることができる。いくつかの実施形態では、生成回路は、少なくとも図１１のブロック１１２０を実施するように構成されることができる。生成回路は、プロセッサ２０４（図２）、メモリ２０６（図２）、およびＤＳＰ２２０（図２）のうちの１つまたは複数を含むことができる。いくつかのインプリメンテーションでは、生成するための手段は、生成回路を含むことができる。
【０１４２】
[00151]  自己相関回路は、自己相関を実施するように構成されることができる。いくつかの実施形態では、設定回路は、少なくとも図１１のブロック１１３０を実施するように構成されることができる。自己相関回路は、プロセッサ２０４（図２）、メモリ２０６（図２）、ＤＳＰ２２０（図２）、および自己相関装置（auto-correlator）のうちの１つまたは複数を含むことができる。いくつかのインプリメンテーションでは、自己相関するための手段は、自己相関回路を含むことができる。
【０１４３】
[00152]  当業者であれば、情報および信号が、さまざまな異なる技術および技法のいずれかを使用して表されることができることを理解するであろう。例えば、上記の説明全体を通して参照されることができる、データ、命令、コマンド、情報、信号、ビット、シンボル、およびチップは、電圧、電流、電磁波、磁界または磁気粒子、光場または光粒子、あるいはこれらの任意の組み合わせによって表わされることができる。
【０１４４】
[00153]  本開示に説明されるインプリメンテーションへのさまざまな修正が、当業者には容易に明らかであり、本書で定義される包括的な原理が、本開示の精神または範囲から逸脱することなく他のインプリメンテーションに適用されることができる。かくして、本開示は、本書に示されているインプリメンテーションに制限されることは意図されておらず、しかし、本書に開示される新規の特徴、原理および請求項に一致する最も広い範囲が与えられるべきである。「例示的な（exemplary）」という言葉は、「例、事例、または実例としての役割を果たす」ことを意味するためにのみ、本書で使用されている。「例示的な」ものとして、本書に説明された任意のインプリメンテーションは、他のインプリメンテーションに対して好ましいまたは有利なものとして必ずしも解釈されるべきではない。
【０１４５】
[00154]  本書で使用される場合、アイテムのリスト「のうちの少なくとも１つ」というフレーズは、単一の構成要素（members）を含む、それらのアイテムの任意の組み合わせに言及する。第１の例として、「ａおよびｂ（ａまたはｂ）のうちの少なくとも１つ」は、ａ、ｂ、および、ａ−ｂと、ならびに同様の要素の倍数との任意の組み合わせ（例えば、ａ−ａ、ａ−ａ−ａ、ａ−ａ−ｂ、ａ−ｂ−ｂ、ｂ−ｂ、ｂ−ｂ−ｂ、またはａおよびｂの任意の他の順序）をカバーするように意図されている。第２の例として、「ａ、ｂ、およびｃ（ａ、ｂ、またはｃ）のうちの少なくとも１つ」は、ａ、ｂ、ｃ、ａ−ｂ、ａ−ｃ、ｂ−ｃ、およびａ−ｂ−ｃと、ならびに同様の要素の倍数との任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃおよびｃ−ｃ−ｃ、またはａ、ｂ、およびｃの任意の他の順序）をカバーするように意図されている。
【０１４６】
[00155]  別個のインプリメンテーションのコンテキストで本書において説明されるある特定の特徴はまた、単一のインプリメンテーションにおいて組み合わせてインプリメントされることができる。反対に、単一のインプリメンテーションのコンテキストにおいて説明されるさまざまな特徴は、また、複数のインプリメンテーションで別々に、または任意の適したサブコンビネーションで、インプリメントされることができる。さらに、特徴は、ある組み合わせで作用するように上述され、またそのようなものとしてさらに最初に特許請求もされることができるが、特許請求される組み合わせからの１つまたは複数の特徴は、いくつかのケースにおいて、その組み合わせから削除されることができ、特許請求される組み合わせは、サブコンビネーション、またはサブコンビネーションの変形に向けられることができる。
【０１４７】
[00156]  上述された方法のさまざまな動作は、さまざまな（１つまたは複数の）ハードウェアおよび／またはソフトウェア・コンポーネント、回路、および／または（１つまたは複数の）モジュールのような、動作を実施することが可能である任意の適した手段によって実施されることができる。一般的に、図に図示された任意の動作は、動作を実施する能力がある対応する機能的手段によって実施されることができる。
【０１４８】
[00157]  本開示に関連して説明された、さまざまな実例となる論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ信号（ＦＰＧＡ）または他のプログラマブル論理デバイス（ＰＬＤ）、離散ゲートまたはトランジスタ論理、離散ハードウェア・コンポーネント、または、本書で説明された機能を実施するために設計された、それらの任意の組み合わせを用いてインプリメントまたは実施され得る。汎用プロセッサは、マイクロプロセッサであることができるが、代わりに、プロセッサは、任意の市販のプロセッサ、コントローラ、マイクロコントローラ、またはステート・マシンであることができる。プロセッサはまた、例えば、ＤＳＰとマイクロプロセッサの組み合わせ、複数のマイクロプロセッサ、ＤＳＰコアと併せた１つまたは複数のマイクロプロセッサ、または任意の他のそのような構成である、コンピューティング・デバイスの組み合わせとしてインプリメントされることができる。
【０１４９】
[00158]  １つまたは複数の態様では、説明された機能は、ハードウェア、ソフトウェア、ファームウェア、またはそれらの任意の組み合わせでインプリメントされることができる。ソフトウェアでインプリメントされる場合、機能は、コンピュータ可読媒体における１つまたは複数の命令またはコードとして、記憶または送信されることができる。コンピュータ可読媒体は、１つの場所から別の場所へのコンピュータ・プログラムの転送を容易にする任意の媒体を含む通信媒体とコンピュータ記憶媒体との両方を含む。記憶媒体は、コンピュータによってアクセスされることができる任意の利用可能な媒体であることができる。限定ではなく、例示の目的で、そのようなコンピュータ可読媒体は、ＲＡＭ、ＲＯＭ、ＥＥＰＲＯＭ（登録商標）、ＣＤ−ＲＯＭまたは他の光学ディスク記憶装置、磁気ディスク記憶装置または他の磁気記憶デバイス、または命令あるいはデータ構造の形式で所望のプログラム・コードを搬送もしくは記憶するために使用されることができ、コンピュータによってアクセスされることができる任意の他の媒体を含むことができる。また、任意の接続は、コンピュータ可読媒体と厳密には呼ばれる。例えば、ソフトウェアが、同軸ケーブル、光ファイバー・ケーブル、ツイスト・ペア、デジタル加入者回線（ＤＳＬ）、または赤外線、無線、およびマイクロ波のようなワイヤレス技術を使用して、ウェブサイト、サーバ、またはその他の遠隔ソースから送信される場合、同軸ケーブル、光ファイバー・ケーブル、ツイスト・ペア、ＤＳＬ、または赤外線、無線、およびマイクロ波のようなワイヤレス技術は、媒体の定義に含まれる。本書で使用される場合、ディスク（disk）およびディスク（disc）は、コンパクト・ディスク（ＣＤ）、レーザー・ディスク、光ディスク、デジタル多用途ディスク（ＤＶＤ）、フロッピー（登録商標）ディスク、およびブルーレイ・ディスクを含み、ここでディスク（disk）は通常、磁気的にデータを再生し、ディスク（disc）は、レーザーを用いて光学的にデータを再生する。かくして、いくつかの態様では、コンピュータ可読媒体は、非一時的なコンピュータ可読媒体（例えば、有体的媒体）を含むことができる。加えて、いくつかの態様では、コンピュータ可読媒体は、一時的なコンピュータ可読媒体（たとえば、信号）を含むことができる。上記の組み合わせもまた、コンピュータ可読媒体の範囲内に含まれることができる。
【０１５０】
[00159]  本書に開示された方法は、説明された方法を達成するための１つまたは複数のステップあるいは動作を含む。方法のステップおよび／または動作は、特許請求の範囲から逸脱することなく、互いに入れ替えられることができる。言い換えれば、ステップまたは動作の特定の順序が特定されていない限り、特定のステップおよび／または動作の順序および／または使用は、特許請求の範囲から逸脱することなく修正されることができる。
【０１５１】
[00160]  さらに、本書で説明された方法および技法を実施するためのモジュールおよび／または他の適切な手段は、ダウンロードされることができる、および／または、そうでなければ、適用可能な場合にユーザ端末および／または基地局によって取得されることができることが理解されるべきである。例えば、そのようなデバイスは、本書で説明された方法を実施するための手段の転送を容易にするためにサーバに結合されることができる。代替として、本書で説明されたさまざまな方法は、デバイスに記憶手段を結合または提供する際にユーザ端末および／または基地局がさまざまな方法を取得することができるように、記憶手段（例えば、ＲＡＭ、ＲＯＭ、コンパクト・ディスク（ＣＤ）またはフロッピー・ディスクのような物理記憶媒体など）を介して提供されることができる。さらに、本書で説明された方法および技法をデバイスに提供するための任意の他の適切な技法が、利用され得る。
【０１５２】
[00161]  前述の内容が本開示の態様を対象としている一方、本開示の他のおよびさらなる態様は、その基本的な範囲から逸脱することなしに考案されることができ、その範囲は、次の特許請求の範囲によって決定される。
以下に本願の出願当初の特許請求の範囲に記載された発明を付記する。
［Ｃ１］
ワイヤレス通信の方法であって、
第１のプリアンブル・フィールドを備えるパケットを、ワイヤレス・デバイスにおいて、生成することと、
第１の周波数ドメイン極性シーケンスを前記第１のプリアンブル・フィールドにかけることによって第１の反復プリアンブル・フィールドを生成することと、
前記ワイヤレス・デバイスから前記パケットを送信することと、を備え、ここにおいて前記パケットは、前記第１のプリアンブル・フィールドおよび前記第１の反復プリアンブル・フィールドを備える、方法。
［Ｃ２］
前記第１のプリアンブル・フィールドは、複数のデバイスによって復号可能であり、前記パケットは、前記複数のデバイスのサブセットのみによって復号可能である第２のプリアンブル・フィールドを備える、Ｃ１に記載の方法。
［Ｃ３］
前記第１の周波数ドメイン極性シーケンスは、−１または＋１の所定のシーケンスを備える、Ｃ１に記載の方法。
［Ｃ４］
前記第１のプリアンブル・フィールドは、３の倍数ではない長さ指示を備える、Ｃ１に記載の方法。
［Ｃ５］
第２の周波数ドメイン極性シーケンスを第２のプリアンブル・フィールドにかけることによって第２の反復プリアンブル・フィールドを生成することをさらに備え、ここにおいて、前記パケットは、前記第２の反復プリアンブル・フィールドを備える、Ｃ１に記載の方法。
［Ｃ６］
前記第１のプリアンブル・フィールドは、レガシ信号（Ｌ−ＳＩＧ）フィールドを備え、レガシ・プリアンブルは、複数のデバイスによって復号可能であり、および、
前記第１の反復プリアンブル・フィールドは、反復レガシ信号（ＲＬ−ＳＩＧ）フィールドを備える、Ｃ１に記載の方法。
［Ｃ７］
ワイヤレス通信を実施するように構成されている装置であって、
第１のプリアンブル・フィールドを備えるパケットを生成することと、
第１の周波数ドメイン極性シーケンスを前記第１のプリアンブル・フィールドにかけることによって第１の反復プリアンブル・フィールドを生成することと、を行うように構成されているプロセッサと、
前記装置から前記パケットを送信するように構成されている送信機と、を備え、ここにおいて前記パケットは、前記第１のプリアンブル・フィールドおよび前記第１の反復プリアンブル・フィールドを備える、装置。
［Ｃ８］
前記第１のプリアンブル・フィールドは、複数のデバイスによって復号可能であり、前記パケットは、前記複数のデバイスのサブセットのみによって復号可能である第２のプリアンブル・フィールドを備える、Ｃ７に記載の装置。
［Ｃ９］
前記第１の周波数ドメイン極性シーケンスは、−１または＋１の所定のシーケンスを備える、Ｃ７に記載の装置。
［Ｃ１０］
前記第１のプリアンブル・フィールドは、３の倍数ではない長さ指示を備える、Ｃ７に記載の装置。
［Ｃ１１］
前記プロセッサは、第２の周波数ドメイン極性シーケンスを第２のプリアンブル・フィールドにかけることによって第２の反復プリアンブル・フィールドを生成するようにさらに構成されており、ここにおいて、前記パケットは、他の反復プリアンブル・フィールドを備える、Ｃ７に記載の装置。
［Ｃ１２］
前記第１のプリアンブル・フィールドは、レガシ信号（Ｌ−ＳＩＧ）フィールドを備え、レガシ・プリアンブルは、複数のデバイスによって復号可能であり、および、
前記第１の反復プリアンブル・フィールドは、反復レガシ信号（ＲＬ−ＳＩＧ）フィールドを備える、Ｃ７に記載の装置。
［Ｃ１３］
ワイヤレス通信のための装置において、
第１のプリアンブル・フィールドを備えるパケットを生成するための手段と、
第１の周波数ドメイン極性シーケンスを前記第１のプリアンブル・フィールドにかけることによって第１の反復プリアンブル・フィールドを生成するための手段と、
前記装置から前記パケットを送信するための手段と、を備え、ここにおいて前記パケットは、前記第１のプリアンブル・フィールドおよび前記第１の反復プリアンブル・フィールドを備える、装置。
［Ｃ１４］
前記第１のプリアンブル・フィールドは、複数のデバイスによって復号可能であり、前記パケットは、前記複数のデバイスのサブセットのみによって復号可能である第２のプリアンブル・フィールドを備える、Ｃ１３に記載の装置。
［Ｃ１５］
前記第１の周波数ドメイン極性シーケンスは、−１または＋１の所定のシーケンスを備える、Ｃ１３に記載の装置。
［Ｃ１６］
前記第１のプリアンブル・フィールドは、３の倍数ではない長さ指示を備える、Ｃ１３に記載の装置。
［Ｃ１７］
第２の周波数ドメイン極性シーケンスを第２のプリアンブル・フィールドにかけることによって第２の反復プリアンブル・フィールドを生成するための手段をさらに備え、ここにおいて前記パケットは、他の反復プリアンブル・フィールドを備える、Ｃ１３に記載の装置。
［Ｃ１８］
前記第１のプリアンブル・フィールドは、レガシ信号（Ｌ−ＳＩＧ）フィールドを備え、レガシ・プリアンブルは、複数のデバイスによって復号可能であり、および、
前記第１の反復プリアンブル・フィールドは、反復レガシ信号（ＲＬ−ＳＩＧ）フィールドを備える、Ｃ１３に記載の装置。
［Ｃ１９］
コードを備える非一時的なコンピュータ可読媒体であって、前記コードは、実行されるとき、装置に、
第１のプリアンブル・フィールドを備えるパケットを生成することと、
第１の周波数ドメイン極性シーケンスを前記第１のプリアンブル・フィールドにかけることによって第１の反復プリアンブル・フィールドを生成することと、
前記装置から前記パケットを送信することと、を行わせ、ここにおいて前記パケットは、前記第１のプリアンブル・フィールドおよび前記第１の反復プリアンブル・フィールドを備える、コンピュータ可読媒体。
［Ｃ２０］
前記第１のプリアンブル・フィールドは、レガシ信号（Ｌ−ＳＩＧ）フィールドを備え、レガシ・プリアンブルは、複数のデバイスによって復号可能であり、および、
前記第１の反復プリアンブル・フィールドは、反復レガシ信号（ＲＬ−ＳＩＧ）フィールドを備える、Ｃ１９に記載の媒体。
【図１】
0006657236.tif 000002
【図２】
0006657236.tif 000003
【図３】
0006657236.tif 000004
【図４】
0006657236.tif 000005
【図５】
0006657236.tif 000006
【図６】
0006657236.tif 000007
【図７】
0006657236.tif 000008
【図８】
0006657236.tif 000009
【図９】
0006657236.tif 000010
【図１０】
0006657236.tif 000011
【図１１】
0006657236.tif 000012